(57)【要約】  接続管理エンティティ装置は、特定のエリアのカバレッジ内のモデムの組を決定する。モデムの組の各モデムは、特定の航空機および複数の搬送波のうちの１つの搬送波と関連付けられる。装置は、ｅＮＢの組の各ｅＮＢにモデムの部分組を割り当てる。割り当ては、各ｅＮＢがモデムの割り当てられた部分組と通信するのを可能にする。各ｅＮＢは、異なる搬送波で動作する。装置は、ｅＮＢであることができる。ｅＮＢは、ｅＮＢのカバレッジ内のモデムの組を決定する。モデムの組は、複数の搬送波のうちの１つの搬送波と関連付けられる。ｅＮＢは、１つの搬送波で動作する。モデムの組内の各モデムは、異なる航空機と関連付けられる。ｅＮＢは、モデムの組を示す情報を送信し、送信された情報に応答してモデムの第２の組の割り当てを受信する。
2017505567.tif 000002
【特許請求の範囲】
【請求項１】
接続管理エンティティの方法であって、
特定のエリアのカバレッジ内のモデムの組を決定することであって、モデムの前記組内の各モデムは、特定の航空機および複数の搬送波のうちの１つの搬送波と関連付けられることと、
セルの組の各セルにモデムの前記組の部分組を割り当てることであって、前記割り当ては、各セルがモデムの前記割り当てられた部分組と通信するのを可能にし、各セルは、前記複数の搬送波のうちの異なる搬送波で動作することと、を備える、方法。
【請求項２】
前記特定のエリアのカバレッジ内のモデムの前記組が変わったと決定することと、
前記特定のエリアのカバレッジ内のモデムの前記組が変わったと決定した時点で各セルにモデムの前記組の前記部分組を再度割り当てることと、をさらに備える、
請求項１に記載の方法。
【請求項３】
前記特定のエリアのカバレッジ内のモデムの第１の部分組を示す情報を受信することと、
前記受信された情報に基づいて前記特定のエリアのカバレッジ内のモデムの第２の部分組の前記存在を推測することと、をさらに備え、
モデムの前記決定された組は、モデムの前記第１の部分組と、モデムの前記第２の部分組と、を含む、
請求項１に記載の方法。
【請求項４】
セルの前記組の１つ以上のセルにハンドオーバーされることになるモデムの第３の部分組を決定することをさらに備え、モデムの前記決定された組は、モデムの前記第３の部分組をさらに含む、
請求項３に記載の方法。
【請求項５】
モデムの前記組の前記部分組内の各モデムは、前記セルの副帯域またはビームのうちの少なくとも１つに割り当てられる、
請求項１に記載の方法。
【請求項６】
モデムの前記組の前記部分組内の各モデムには少なくとも１つのリソース内の複数のインターレースのうちのインターレースが割り当てられる請求項１に記載の方法。
【請求項７】
セルの無線通信方法であって、
前記セルのカバレッジ内のモデムの組を決定することであって、モデムの前記組は、複数の搬送波のうちの１つの搬送波と関連付けられ、前記セルは、前記１つの搬送波で動作し、モデムの前記組内の各モデムは、異なる航空機と関連付けられることと、
モデムの前記組を示す情報を送信することと、
前記送信された情報に応答してモデムの第２の組の割り当てを受信することであって、前記割り当ては、前記セルがモデムの前記割り当てられた第２の組と通信するのを可能にすることと、を備える、方法。
【請求項８】
無線リソース制御（ＲＲＣ）接続状態にあるモデムの最初の組と通信することと、
モデムの前記最初の組をモデムの前記割り当てられた第２の組と比較することと、
前記比較に基づいてモデムの前記最初の組またはモデムの前記割り当てられた第２の組のうちの少なくとも１つ内のモデムに関するＲＲＣ状態を決定することと、をさらに備える、
請求項７に記載の方法。
【請求項９】
モデムの前記組およびモデムの前記割り当てられた第２の組の両方に含まれるモデムと前記ＲＲＣ接続状態を維持することをさらに備える、
請求項８に記載の方法。
【請求項１０】
モデムがモデムの前記割り当てられた第２の組に含まれ、モデムの前記最初の組に含まれていないときにＲＲＣアイドル状態から前記ＲＲＣ接続状態に入るように前記モデムにページングすることをさらに備える、
請求項８に記載の方法。
【請求項１１】
モデムがモデムの前記最初の組に含まれ、モデムの前記割り当てられた第２の組に含まれていないときに前記ＲＲＣ接続状態からアイドル状態に入るために前記モデムとのＲＲＣ接続を解除することをさらに備える、
請求項８に記載の方法。
【請求項１２】
前記モデムが特定の期間の間前記ＲＲＣアイドル状態から前記ＲＲＣ接続状態に移行するのを試行するのを防止するために前記モデムにおいてタイマを構成することをさらに備える、
請求項１１に記載の方法。
【請求項１３】
モデムの前記第２の組内の各モデムに関連して使用するために副帯域、ビーム、またはリソースインターレースのうちの少なくとも１つを示す情報を受信することをさらに備える、
請求項７に記載の方法。
【請求項１４】
前記副帯域、前記ビーム、または前記リソースインターレースのうちの前記少なくとも１つを示す前記情報に基づいてモデムの前記第２の組内の各モデムと通信することをさらに備える、
請求項１３に記載の方法。
【請求項１５】
接続管理エンティティ装置であって、
特定のエリアのカバレッジ内のモデムの組を決定するための手段であって、モデムの前記組内の各モデムは、特定の航空機および複数の搬送波のうちの１つの搬送波と関連付けられる手段と、
セルの組の各セルにモデムの前記組の部分組を割り当てるための手段であって、前記割り当ては、各セルがモデムの前記割り当てられた部分組と通信するのを可能にし、各セルは、前記複数の搬送波のうちの異なる搬送波で動作する手段と、を備える、装置。
【請求項１６】
前記特定のエリアのカバレッジ内のモデムの前記組が変わったと決定するための手段と、
前記特定のエリアのカバレッジ内のモデムの前記組が変わったと決定した時点で各セルにモデムの前記組の前記部分組を再度割り当てるための手段と、をさらに備える、
請求項１５に記載の装置。
【請求項１７】
前記特定のエリアのカバレッジ内のモデムの第１の部分組を示す情報を受信するための手段と、
前記受信された情報に基づいて前記特定のエリアのカバレッジ内のモデムの第２の部分組の前記存在を推測するための手段と、をさらに備え、
モデムの前記決定された組は、モデムの前記第１の部分組と、モデムの前記第２の部分組と、を含む、
請求項１５に記載の装置。
【請求項１８】
セルの前記組の１つ以上のセルにハンドオーバーされることになるモデムの第３の部分組を決定するための手段をさらに備え、モデムの前記決定された組は、モデムの前記第３の部分組をさらに含む、
請求項１７に記載の装置。
【請求項１９】
モデムの前記組の前記部分組内の各モデムは、前記セルの副帯域またはビームのうちの少なくとも１つに割り当てられる、
請求項１５に記載の装置。
【請求項２０】
モデムの前記組の前記部分組内の各モデムには少なくとも１つのリソース内の複数のインターレースのうちのインターレースが割り当てられる、
請求項１５に記載の装置。
【請求項２１】
無線通信のための装置であって、前記装置はセルであり、
前記セルのカバレッジ内のモデムの組を決定するための手段であって、モデムの前記組は、複数の搬送波のうちの１つの搬送波と関連付けられ、前記セルは、前記１つの搬送波で動作し、モデムの前記組内の各モデムは、異なる航空機と関連付けられる手段と、
モデムの前記組を示す情報を送信するための手段と、
前記送信された情報に応答してモデムの第２の組の割り当てを受信するための手段であって、前記割り当ては、前記セルがモデムの前記割り当てられた第２の組と通信するのを可能にする手段と、を備える、装置。
【請求項２２】
無線リソース制御（ＲＲＣ）接続状態にあるモデムの最初の組と通信するための手段と、
モデムの前記最初の組をモデムの前記割り当てられた第２の組と比較するための手段と、
前記比較に基づいてモデムの前記最初の組またはモデムの前記割り当てられた第２の組のうちの少なくとも１つ内のモデムに関するＲＲＣ状態を決定するための手段と、をさらに備える、
請求項２１に記載の装置。
【請求項２３】
モデムの前記最初の組およびモデムの前記割り当てられた第２の組の両方に含まれるモデムと前記ＲＲＣ接続状態を維持するための手段をさらに備える、
請求項２２に記載の装置。
【請求項２４】
モデムがモデムの前記割り当てられた第２の組に含まれ、モデムの前記最初の組に含まれていないときにＲＲＣアイドル状態から前記ＲＲＣ接続状態に入るように前記モデムにページングするための手段をさらに備える、
請求項２２に記載の装置。
【請求項２５】
モデムがモデムの前記最初の組に含まれ、モデムの前記割り当てられた第２の組に含まれていないときに前記ＲＲＣ接続状態からアイドル状態に入るために前記モデムとのＲＲＣ接続を解除するための手段をさらに備える、
請求項２２に記載の装置。
【請求項２６】
前記モデムが特定の期間の間前記ＲＲＣアイドル状態から前記ＲＲＣ接続状態に移行するのを試行するのを防止するために前記モデムにおいてタイマを構成するための手段をさらに備える、
請求項２５に記載の装置。
【請求項２７】
モデムの前記第２の組内の各モデムに関連して使用するために副帯域、ビーム、またはリソースインターレースのうちの少なくとも１つを示す情報を受信するための手段をさらに備える、
請求項２２に記載の装置。
【請求項２８】
前記副帯域、前記ビーム、または前記リソースインターレースのうちの前記少なくとも１つを示す前記情報に基づいてモデムの前記第２の組内の各モデムと通信するための手段をさらに備える、
請求項２７に記載の装置。
【請求項２９】
接続管理エンティティ装置であって、
メモリと、
前記メモリに結合され、
特定のエリアのカバレッジ内のモデムの組を決定するよう構成され、モデムの前記組内の各モデムは、特定の航空機および複数の搬送波のうちの１つの搬送波と関連付けられ、および
セルの組の各セルにモデムの前記組の部分組を割り当てるように構成され、前記割り当ては、各セルがモデムの前記割り当てられた部分組と通信するのを可能にし、各セルは、前記複数の搬送波のうちの異なる搬送波で動作する、少なくとも１つのプロセッサと、を備える、装置。
【請求項３０】
前記少なくとも１つのプロセッサは、
前記特定のエリアのカバレッジ内のモデムの前記組が変わったと決定し、および
前記特定のエリアのカバレッジ内のモデムの前記組が変わったと決定した時点で各セルにモデムの前記組の前記部分組を再度割り当てるようにさらに構成される、
請求項２９に記載の装置。
【請求項３１】
前記少なくとも１つのプロセッサは、
前記特定のエリアのカバレッジ内のモデムの第１の部分組を示す情報を受信し、および
前記受信された情報に基づいて前記特定のエリアのカバレッジ内のモデムの第２の部分組の前記存在を推測するようにさらに構成され、
モデムの前記決定された組は、モデムの前記第１の部分組と、モデムの前記第２の部分組と、を含む、
請求項２９に記載の装置。
【請求項３２】
前記少なくとも１つのプロセッサは、セルの前記組の１つ以上のセルにハンドオーバーされることになるモデムの第３の部分組を決定するようにさらに構成され、モデムの前記決定された組は、モデムの前記第３の部分組をさらに含む、
請求項３１に記載の装置。
【請求項３３】
モデムの前記組の前記部分組内の各モデムは、前記セルの副帯域またはビームのうちの少なくとも１つに割り当てられる、
請求項２９に記載の装置。
【請求項３４】
モデムの前記組の前記部分組内の各モデムには少なくとも１つのリソース内の複数のインターレースのうちのインターレースが割り当てられる、
請求項２９に記載の装置。
【請求項３５】
無線通信のための装置であって、前記装置はセルであり、
メモリと、
前記メモリに結合され、
前記セルのカバレッジ内のモデムの組を決定するように構成され、モデムの前記組は、複数の搬送波のうちの１つの搬送波と関連付けられ、前記セルは、前記１つの搬送波で動作し、モデムの前記組内の各モデムは、異なる航空機と関連付けられ、
モデムの前記組を示す情報を送信するように構成され、および
前記送信された情報に応答してモデムの第２の組の割り当てを受信するように構成され、前記割り当ては、前記セルがモデムの前記割り当てられた第２の組と通信するのを可能にする、少なくとも１つのプロセッサと、を備える、装置。
【請求項３６】
前記少なくとも１つのプロセッサは、
無線リソース制御（ＲＲＣ）接続状態にあるモデムの最初の組と通信し、
モデムの前記最初の組をモデムの前記割り当てられた第２の組と比較し、および
前記比較に基づいてモデムの前記最初の組またはモデムの前記割り当てられた第２の組のうちの少なくとも１つ内のモデムに関するＲＲＣ状態を決定するようにさらに構成される、
請求項３５に記載の装置。
【請求項３７】
前記少なくとも１つのプロセッサは、モデムの前記最初の組およびモデムの前記割り当てられた第２の組の両方に含まれるモデムと前記ＲＲＣ接続状態を維持するようにさらに構成される、
請求項３６に記載の装置。
【請求項３８】
前記少なくとも１つのプロセッサは、モデムがモデムの前記割り当てられた第２の組に含まれ、モデムの前記最初の組に含まれていないときにＲＲＣアイドル状態から前記ＲＲＣ接続状態に入るように前記モデムにページングするようにさらに構成される、
請求項３６に記載の装置。
【請求項３９】
前記少なくとも１つのプロセッサは、モデムがモデムの前記最初の組に含まれ、モデムの前記割り当てられた第２の組に含まれていないときに前記ＲＲＣ接続状態からＲＲＣアイドル状態に入るために前記モデムとのＲＲＣ接続を解除するようにさらに構成される、
請求項３６に記載の装置。
【請求項４０】
前記少なくとも１つのプロセッサは、前記モデムが特定の期間の間前記ＲＲＣアイドル状態から前記ＲＲＣ接続状態に移行するのを試行するのを防止するために前記モデムにおいてタイマを構成するようにさらに構成される、
請求項３９に記載の装置。
【請求項４１】
前記少なくとも１つのプロセッサは、モデムの前記第２の組内の各モデムに関連して使用するために副帯域、ビーム、またはリソースインターレースのうちの少なくとも１つを示す情報を受信するようにさらに構成される、
請求項３５に記載の装置。
【請求項４２】
前記少なくとも１つのプロセッサは、前記副帯域、前記ビーム、または前記リソースインターレースのうちの前記少なくとも１つを示す前記情報に基づいてモデムの前記第２の組内の各モデムと通信するようにさらに構成される、
請求項４１に記載の装置。
【請求項４３】
コンピュータ読み取り可能媒体に格納されたコンピュータプログラム製品であって、少なくとも１つのプロセッサで実行されたときに、
特定のエリアのカバレッジ内のモデムの組を決定するステップであって、モデムの前記組内の各モデムは、特定の航空機および複数の搬送波のうちの１つの搬送波と関連付けられるステップ、および
セルの組の各セルにモデムの前記組の部分組を割り当てるステップであって、
前記割り当ては、各セルがモデムの前記割り当てられた部分組と通信するのを可能にし、各セルは、前記複数の搬送波のうちの異なる搬送波で動作するステップ、を実行するコードを備える、コンピュータプログラム製品。
【請求項４４】
コンピュータ読み取り可能媒体に格納されたコンピュータプログラム製品であって、少なくとも１つのプロセッサで実行されたときに、
前記セルのカバレッジ内のモデムの組を決定するステップであって、モデムの前記組は、複数の搬送波のうちの１つの搬送波と関連付けられ、前記セルは、前記１つの搬送波で動作し、モデムの前記組内の各モデムは、異なる航空機と関連付けられるステップ、
モデムの前記組を示す情報を送信するステップ、および
前記送信された情報に応答してモデムの第２の組の割り当てを受信するステップであって、前記割り当ては、前記セルがモデムの前記割り当てられた第２の組と通信するのを可能にするステップ、を実行するコードを備える、コンピュータプログラム製品。
【発明の詳細な説明】
【関連出願の相互参照】
【０００１】
[0001]  本出願は、“ＭＵＬＴＩ−ＣＡＲＲＩＥＲ  ＣＯＮＮＥＣＴＩＯＮ  ＭＡＮＡＧＥＭＥＮＴ  ＦＯＲ  ＢＡＮＤＷＩＤＴＨ  ＡＧＧＲＥＧＡＴＩＯＮ  ＯＶＥＲ  ＬＴＥ（登録商標）  ＢＥＡＲＥＲＳ”（ＬＴＥベアラを通じての帯域幅アグリゲーションに関する多搬送波接続管理）という題名を有し、２０１３年１２月１１日に出願された米国仮特許出願一連番号第６１／９１４，７４２号および“ＭＵＬＴＩ−ＣＡＲＲＩＥＲ  ＣＯＮＮＥＣＴＩＯＮ  ＭＡＮＡＧＥＭＥＮＴ  ＦＯＲ  ＢＡＮＤＷＩＤＴＨ  ＡＧＧＲＥＧＡＴＩＯＮ”（帯域幅アグリゲーションに関する多搬送波接続管理）という題名を有し、２０１４年９月６日に出願された米国特許出願番号第１４／４７９，２７０号の利益を主張するものであり、それらの全体がここにおける引用によって明示で組み入れられている。
【技術分野】
【０００２】
[0002]  本開示は、概して、通信システムに関するものであり、より具体的には、帯域幅アグリゲーションに関する多搬送波接続管理に関するものである。
【背景技術】
【０００３】
[0003]  様々な電気通信サービス、例えば、テレフォニー、映像、データ、メッセージング、およびブロードキャスト、を提供することを目的として無線通信システムが広範囲にわたって配備されている。典型的な無線通信システムは、利用可能なシステムリソース（例えば、帯域幅、送信電力）を共有することによって複数のユーザとの通信をサポートすることが可能な多元接続技術を採用することができる。該多元接続技術の例は、符号分割多元接続（ＣＤＭＡ）システムと、時分割多元接続（ＴＤＭＡ）システムと、周波数分割多元接続（ＦＤＭＡ）システムと、直交周波数分割多元接続（ＯＦＤＭＡ）システムと、単一搬送波周波数分割多元接続（ＳＣ−ＦＤＭＡ）システムと、時分割同期符号分割多元接続（ＴＤ−ＳＣＤＭＡ）システムと、を含む。
[0004]  これらの多元接続技術は、複数の異なる無線デバイスが市町村レベル、国内レベル、地域レベル、さらにはグローバルレベルで通信するのを可能にする共通のプロトコルを提供することを目的として様々な電気通信規格において採用されている。現在出現中の電気通信規格の一例は、ロングタームエボリューション（Ｌｏｎｇ  Ｔｅｒｍ  Ｅｖｏｌｕｔｉｏｎ）（ＬＴＥ）である。ＬＴＥは、第三世代パートナーシッププロジェクト（３ＧＰＰ（登録商標））によって公布されたユニバーサル移動電気通信システム（ＵＭＴＳ）モバイル規格の一組の拡張である。ＬＴＥは、スペクトル効率を向上させ、コストを削減し、サービスを向上させ、新しいスペクトルを利用し、ダウンリンク（ＤＬ）でのＯＦＤＭＡ、アップリンク（ＵＬ）でのＳＣ−ＦＤＭＡ、および多入力多出力（ＭＩＭＯ）アンテナ技術を使用するその他のオープン規格とより良く統合することによってモバイルブロードバンドインターネットアクセスをより良くサポートするように設計されている。しかしながら、モバイルブロードバンドアクセスに関する要求が増大し続けるのに応じて、ＬＴＥ技法のさらなる改良の必要性が存在する。好ましくは、これらの改良は、その他の多元接続技術およびこれらの技術を採用する電気通信規格に適用可能であるべきである。
【発明の概要】
【０００４】
[0005]  本開示の一態様において、方法、コンピュータプログラム製品、および装置が提供される。装置は、接続管理エンティティであることができる。装置は、特定のエリアのカバレッジ内のモデムの組を決定する。モデムの組内の各モデムは、特定の航空機および複数の搬送波のうちの１つと関連付けられる。装置は、セルの組の各セルにモデムの組の部分組を割り当てる。割り当ては、各セルがモデムの割り当てられた組と通信するのを可能にする。各セルは、複数の搬送波のうちの異なる搬送波で動作する。
[0006]  本開示の一態様において、方法、コンピュータプログラム製品、および装置が提供される。装置は、セルであることができる。セルは、基地局または基地局内のセルであることができる。基地局は、エボルブドノードＢ（ｅＮＢ）であることができる。セルは、セルのカバレッジ内のモデムの組を決定する。モデムの組は、複数の搬送波のうちの１つの搬送波と関連付けられる。セルは、１つの搬送波で動作する。モデムの組内の各モデムは、異なる航空機と関連付けられる。セルは、モデムの組を示す情報を送信する。セルは、送信された情報に応答してモデムの第２の組の割り当てを受信する。割り当ては、セルがモデムの割り当てられた第２の組と通信するのを可能にする。
【図面の簡単な説明】
【０００５】
【図１】[0007]  図１は、ネットワークアーキテクチャの例を示した概略図である。
【図２】[0008]  図２は、アクセスネットワークの例を示した概略図である。
【図３】[0009]  図３は、ＬＴＥにおけるＤＬフレーム構造の例を示した概略図である。
【図４】[0010]  図４は、ＬＴＥにおけるＵＬフレーム構造の例を示した概略図である。
【図５】[0011]  図５は、ユーザプレーンおよび制御プレーンに関する無線プロトコルアーキテクチャの例を示した概略図である。
【図６】[0012]  図６は、アクセスネットワークにおけるエボルブドノードＢおよびユーザ装置の例を示した概略図である。
【図７Ａ】[0013]  図７Ａは、連続的搬送波アグリゲーションタイプを例示した概略図である。
【図７Ｂ】[0014]  図７Ｂは、非連続的搬送波アグリゲーションタイプを例示した概略図である。
【図８】[0015]  図８は、空中−地上モバイルシステムに関するシステムフレームワークを例示した概略図である。
【図９】[0016]  図９は、図８のシステムフレームワーク内の接続管理エンティティを例示した概略図である。
【図１０】[0017]  図１０は、接続管理エンティティの動作を例示した概略図である。
【図１１】[0018]  図１１は、接続管理エンティティおよび関連するｅＮＢの動作を例示した概略図である。
【図１２】[0019]  図１２は、ＬＴＥベアラを通じての帯域幅アグリゲーションに関する多搬送波接続管理のための例示的な方法を示したフローチャートである。
【図１３】[0020]  図１３は、第１の例示的な割り当て方法を示した概略図である。
【図１４】[0021]  図１４は、第２の例示的な割り当て方法を示した概略図である。
【図１５】[0022]  図１５は、接続管理エンティティの第１の例示的な方法のフローチャートである。
【図１６】[0023]  図１６は、セルの第２の例示的な方法のフローチャートである。
【図１７】[0024]  図１７は、例示的な装置内の異なるモジュール／手段／コンポーネント間のデータの流れを例示した概念的なデータ流れ図である。
【図１８】[0025]  図１８は、処理システムを採用する装置に関するハードウェア実装の例を示した概略図である。
【図１９】[0026] 図１９は、例示的な装置内の異なるモジュール／手段／コンポーネント間のデータの流れを例示した概念的なデータ流れ図である。
【図２０】[0027] 図２０は、処理システムを採用する装置に関するハードウェア実装の例を示した概略図である。
【発明を実施するための形態】
【０００６】
[0028]  添付される図面と関係させて以下において示される詳細な説明は、様々な構成に関する説明であることが意図されており、ここにおいて説明される概念を実施することができる唯一の構成を表すことは意図されていない。詳細な説明は、様々な概念に関する徹底的な理解を提供することを目的とする具体的な詳細を含む。しかしながら、これらの概念は、これらの具体的な詳細なしに実施可能であることが当業者にとって明らかになるであろう。幾つかの例において、よく知られた構造およびコンポーネントは、該概念を曖昧にすることを避けるためにブロック図の形態で示される。
[0029]  今度は電気通信システムの幾つかの態様が様々な装置および方法を参照して提示される。これらの装置および方法は、様々なブロック、モジュール、コンポーネント、回路、ステップ、プロセス、アルゴリズム、等（総称して“要素”と呼ばれる）によって以下の詳細な説明において説明され、添付される図面において例示される。これらの要素は、電子ハードウェア、コンピュータソフトウェア、またはそれらの組み合わせを用いて実装することができる。該要素がハードウェアまたはソフトウェアのいずれとして実装されるかは、特定の用途および全体的なシステムに対して課せられた設計上の制約事項に依存する。
[0030]  例として、要素、または要素の一部、または要素の組み合わせは、１つ以上のプロセッサを含む“処理システム”によって実装することができる。プロセッサの例は、マイクロプロセッサ、マイクロコントローラ、デジタル信号プロセッサ（ＤＳＰ）、フィールドプログラマブルゲートアレイ（ＦＰＧＡ）、プログラマブルロジックデバイス（ＰＬＤ）、ステートマシン、ゲーテッドロジック、ディスクリートハードウェア回路、および、本開示全体を通じて説明される様々な機能を果たすように構成されたその他の適切なハードウェアを含む。処理システム内の１つ以上のプロセッサは、ソフトウェアを実行することができる。ソフトウェアとは、命令、命令セット、コード、コードセグメント、プログラムコード、プログラム、サブプログラム、ソフトウェアモジュール、アプリケーション、ソフトウェアアプリケーション、ソフトウェアパッケージ、ルーチン、サブルーチン、オブジェクト、エクセキュータブル（ｅｘｅｃｕｔａｂｌｅ）、実行スレッド、プロシージャ、関数、等を意味すると広義で解釈するものとし、ソフトウェア、ファームウェア、ミドルウェア、マイクロコード、ハードウェア記述言語、またはその他のいずれとして呼ばれるかを問わない。
[0031]  従って、１つ以上の例示的な実施形態において、説明される機能は、ハードウェア、ソフトウェア、ファームウェア、またはそれらの組み合わせ内に実装することができる。ソフトウェアにおいて実装される場合は、これらの機能は、コンピュータ読み取り可能媒体において１つ以上の命令またはコードとして格納することまたは符号化することができる。コンピュータ読み取り可能媒体は、コンピュータ記憶媒体を含む。記憶媒体は、コンピュータによってアクセス可能なあらゆる利用可能な媒体であることができる。例として、および限定することなしに、該コンピュータ読み取り可能媒体は、ランダムアクセスメモリ（ＲＡＭ）、読み取り専用メモリ（ＲＯＭ）、電気的消去可能プログラマブルＲＯＭ（ＥＥＰＲＯＭ（登録商標））、コンパクトディスクＲＯＭ（ＣＤ−ＲＯＭ）またはその他の光学ディスク記憶装置、磁気ディスク記憶装置またはその他の磁気記憶装置、または、希望されるプログラムコードを命令またはデータ構造の形態で搬送または格納するために使用することができおよびコンピュータによってアクセス可能なあらゆるその他の媒体、を備えることができる。ここにおいて用いられるときのディスク（ｄｉｓｋおよびｄｉｓｃ）は、ＣＤ（ｄｉｓｃ）と、レーザーディスク（登録商標）（ｄｉｓｃ）と、光ディスク（ｄｉｓｃ）と、デジタルバーサタイルディスク（ＤＶＤ）（ｄｉｓｃ）と、フロッピー（登録商標）ディスク（ｄｉｓｋ）と、を含み、ここで、ｄｉｓｋは通常は磁気的にデータを複製し、ｄｉｓｃは、レーザを用いて光学的にデータを複製する。上記の組合せも、コンピュータ読み取り可能媒体の適用範囲に含められるべきである。
[0032]  図１は、ＬＴＥネットワークアーキテクチャ１００を例示した概略図である。ＬＴＥネットワークアーキテクチャ１００は、エボルブドパケットシステム（ＥＰＳ）１００と呼ぶことができる。ＥＰＳ１００は、１つ以上のユーザ装置（ＵＥ）１０２と、エボルブドＵＭＴＳ地上無線アクセスネットワーク（Ｅ−ＵＴＲＡＮ）１０４と、エボルブドパケットコア（ＥＰＣ）１１０と、オペレータインターネットプロトコル（ＩＰ）サービス１２２と、を含むことができる。ＥＰＳは、その他のアクセスネットワークと相互に接続することができるが、単純化することを目的として、それらのエンティティ／インタフェースは示されていない。示されるように、ＥＰＳは、パケット交換型サービスを提供する。しかしながら、当業者が容易に評価するように、本開示全体を通じて提示される様々な概念は、回線交換型サービスを提供するネットワークに拡張することができる。
[0033] Ｅ−ＵＴＲＡＮは、ｅＮＢ１０６と、その他のｅＮＢ１０８と、を含み、および、マルチキャストコーディネーションエンティティ（ＭＣＥ）１２８を含むことができる。ｅＮＢ１０６は、ＵＥ１２０へ向けてのユーザおよび制御プレーンプロトコル終端を提供する。ｅＮＢ１０６は、バックホール（例えば、Ｘ２インタフェース）を介してその他のｅＮＢ１０８に接続することができる。ＭＣＥ１２８は、エボルブドマルチメディアブロードキャストマルチキャストサービス（ＭＢＭＳ）（ｅＭＢＭＳ）に関する時間／周波数無線リソースを割り当て、ｅＭＢＭＳに関する無線構成（例えば、変調およびコーディング方式（ＭＣＳ））を決定する。ＭＣＥ１２８は、別個のエンティティであることまたはｅＮＢ１０６の一部であることができる。ｅＮＢ１０６は、基地局、ノードＢ、アクセスポイント、ベーストランシーバ局、無線基地局、無線トランシーバ、トランシーバ機能、ベーシックサービスセット（ＢＳＳ）、拡張サービスセット（ＥＳＳ）、と呼ぶことまたは何らかのその他の適切な用語で呼ぶことができる。ｅＮＢ１０６は、ＵＥ１０２のためにＥＰＣ１１０にアクセスポイントを提供する。ＵＥ１０２の例は、携帯電話、スマートフォン、セッション開始プロトコル（ＳＩＰ）フォン、ラップトップ、パーソナルデジタルアシスタント（ＰＤＡ）、衛星無線、全地球測位システム、マルチメディアデバイス、映像デバイス、デジタルオーディオプレーヤー（例えば、ＭＰ３プレーヤー）、カメラ、ゲームコンソール、タブレット、またはその他の同様の機能のデバイスを含む。ＵＥ１０２は、当業者によって、移動局、加入者局、モバイルユニット、加入者ユニット、ワイヤレスユニット、リモートユニット、モバイルデバイス、ワイヤレスデバイス、無線通信デバイス、リモートデバイス、モバイル加入者局、アクセス端末、モバイル端末、無線端末、遠隔端末、ハンドセット、ユーザエージェント、モバイルクライアント、クライアント、と呼ぶことまたは何らかのその他の適切な用語で呼ぶことができる。
【０００７】
[0034]  ｅＮＢ１０６は、ＥＰＣ１１０に接続される。ＥＰＣ１１０は、移動性管理エンティティ（ＭＭＥ）１１２と、ホームサブスクライバサーバ（ＨＳＳ）と、その他のＭＭＥ１１４と、サービングゲートウェイ１１６と、マルチメディアブロードキャストマルチキャストサービス（ＭＢＭＳ）ゲートウェイ１２４と、ブロードキャストマルチキャストサービスセンター（ＢＭ−ＳＣ）１２６と、パケットデータネットワーク（ＰＤＮ）ゲートウェイ１１８と、を含む。ＭＭＥ１１２は、ＵＥ１０２とＥＰＣ１１０との間のシグナリングを処理する制御ノードである。概して、ＭＭＥ１１２は、ベアラおよび接続の管理を提供する。すべてのユーザＩＰパケットがサービングゲートウェイ１１６を通じて転送され、それ自体は、ＰＤＮゲートウェイ１１８に接続される。ＰＤＮゲートウェイ１１８は、ＵＥ  ＩＰアドレス割り当ておよびその他の機能を提供する。ＰＤＮゲートウェイ１１８およびＢＭ−ＳＣ１２６は、ＩＰサービス１２２に接続される。ＩＰサービス１２２は、インターネット、イントラネット、ＩＰマルチメディアサブシステム（ＩＭＳ）、ＰＳストリーミングサービス（ＰＳＳ）、および／またはその他のＩＰサービスを含むことができる。ＢＭ−ＳＣ１２６は、ＭＢＭＳユーザサービスの提供および引き渡しのための機能を提供することができる。ＢＭ−ＳＣ１２６は、コンテンツプロバイダＭＢＭＳ送信のためのエントリポイントとして働くことができ、ＰＬＭＮ内のＭＢＭＳベアラサービスを許可して開始するために使用することができ、および、ＭＢＭＳ送信をスケジューリングおよび引き渡すために使用することができる。ＭＢＭＳゲートウェイ１２４は、ある特定のサービスをブロードキャストしているマルチキャストブロードキャスト単一周波数ネットワーク（ＭＢＳＦＮ）エリアに属するｅＮＢ（例えば、１０６、１０８）にＭＢＭＳトラフィックを配信するために使用することができ、および、セッション管理（開始／停止）およびｅＭＢＭＳ関連チャージング情報を収集するのを担当することができる。
【０００８】
[0035]  図２は、ＬＴＥネットワークアーキテクチャにおけるアクセスネットワーク２００の例を示した概略図である。この例では、アクセスネットワーク２００は、幾つかのセルラー領域（セル）２０２に分割される。１つ以上のより低い電力クラスのｅＮＢ２０８が、セル２０２のうちの１つ以上と重なり合うセルラー領域２１０を有することができる。より低い電力クラスのｅＮＢ２０８は、フェムトセル（例えば、ホームｅＮＢ（ＨｅＮＢ））、ピコセル、ミクロセル、またはリモートラジオヘッド（ＲＲＨ）であることができる。マクロｅＮＢ２０４が各々のセル２０２に各々割り当てられ、セル２０２内のすべてのＵＥ２０６のためにＥＰＣ１１０にアクセスポイントを提供するように構成される。アクセスネットワーク２００のこの例では中央集中型コントローラは存在しないが、代替構成においては中央集中型コントローラを使用することができる。ｅＮＢ２０４は、無線ベアラ制御と、アドミッション制御と、モビリティ制御と、スケジューリングと、セキュリティと、サービングゲートウェイ１１６への接続性と、を含むすべての無線関連機能を担当する。ｅＮＢは、１つのまたは複数（例えば、３つ）のセル（セクタとも呼ばれる）をサポートすることができる。用語“セル”は、特定のカバレッジエリアにサービスを提供するｅＮＢおよび／またはｅＮＢサブシステムの最小のカバレッジエリアを意味することができる。さらに、用語“ｅＮＢ”、“基地局”、および“セル”は、ここにおいては互換可能な形で使用することができる。
[0036]  アクセスネットワーク２００によって採用される変調および多元接続方式は、配備されている特定の電気通信規格に依存して異なることができる。ＬＴＥ用途では、周波数分割複信（ＦＤＤ）および時分割複信（ＴＤＤ）の両方をサポートするためにＤＬではＯＦＤＭが使用され、ＵＬではＳＣ−ＦＤＭＡが使用される。後続する詳細な説明から当業者が容易に評価することになるように、ここにおいて提示される様々な概念はＬＴＥ用途に非常に適している。しかしながら、これらの概念は、その他の変調技法および多元接続技法を採用するその他の電気通信規格に容易に拡張することができる。例として、これらの概念は、エボリューション−データ・オプティテマイズド（Ｅｖｏｌｕｔｉｏｎ−Ｄａｔａ  Ｏｐｔｉｍｉｚｅｄ（ＥＶ−ＤＯ）またはウルトラモバイルブロードバンド（Ｕｌｔｒａ  Ｍｏｂｉｌｅ  Ｂｒｏａｄｂａｎｄ（ＵＭＢ）に拡張することができる。ＥＶ−ＤＯおよびＵＭＢは、ＣＤＭＡ２０００規格系統の一部として第三世代パートナーシッププロジェクト２（３ＧＰＰ２）によって公布されたエアインタフェース規格であり、移動局にブロードバンドインターネットアクセスを提供するためにＣＤＭＡを採用する。これらの概念は、ワイドバンド−ＣＤＭＡ（Ｗ−ＣＤＭＡ（登録商標））およびＣＤＭＡのその他の変形、例えば、ＴＤ−ＳＣＤＭＡ、を採用するユニバーサル地上無線アクセス（ＵＴＲＡ）、ＴＤＭＡを採用するグローバル移動通信システム（ＧＳＭ（登録商標））、および、ＯＦＤＭＡを採用するエボルブドＵＴＲＡ（Ｅ−ＵＴＲＡ）、ＩＥＥＥ８０２．１１（Ｗｉ−Ｆｉ）、ＩＥＥＥ８０２．１６（ＷｉＭＡＸ）、ＩＥＥＥ８０２．２０、およびＦｌａｓｈ−ＯＦＤＭに対しても拡張することができる。ＵＴＲＡ、Ｅ−ＵＴＲＡ、ＵＭＴＳ、ＬＴＥおよびＧＳＭは、３ＧＰＰ組織からの文書において記述されている。ＣＤＭＡ２０００およびＵＭＢは、３ＧＰＰ２組織からの文書において記述されている。採用される実際の無線通信規格および多元接続技術は、特定の用途およびシステムに対して課せられている全体的システムに関する制約事項に依存する。
[0037]  ｅＮＢ２０４は、ＭＩＭＯ技術をサポートする複数のアンテナを有することができる。ＭＩＭＯ技術の使用は、ｅＮＢ２０４が空間多重化、ビーム形成、および送信ダイバーシティをサポートするために空間領域を利用するのを可能にする。空間多重化は、異なるデータストリームを同じ周波数で同時に送信するために使用することができる。データストリームは、データレートを増大させるために単一のＵＥ２０６にまたは全体的システム容量を増大させるために複数のＵＥ２０６に送信することができる。これは、各データストリームを空間的にプリコードし（すなわち、振幅および位相のスケーリングを適用し）、次に、ＤＬで複数の送信アンテナを通じて各々の空間的にプリコードされたデータストリームを送信することによって達成される。空間的にプリコードされたデータストリームは、異なる空間シグナチャを有する状態でＵＥ２０６に到達し、このことは、各々のＵＥ２０６がそのＵＥ２０６に向けられた１つ以上のデータストリームを復元するのを可能にする。ＵＬでは、各ＵＥ２０６は、空間的にプリコードされたデータストリームを送信し、このことは、ｅＮＢが各々の空間的にプリコードされたデータストリームのソースを識別するのを可能にする。
[0038]  空間多重化は、概して、チャネル状態が良好であるときに使用される。チャネル状態が好ましくない場合は、送信エネルギーを１つ以上の方向に集中させるためにビーム形成を使用することができる。このことは、複数のアンテナを通じての送信のためにデータを空間的にプリコードすることによって達成することができる。セルの縁部において良好なカバレッジを達成するために、単一のストリームビーム形成送信を送信ダイバーシティと組み合わせて使用することができる。
[0039]  後続する詳細な説明において、アクセスネットワークの様々な態様がＤＬでのＯＦＤＭをサポートするＭＩＭＯシステムを参照して説明される。ＯＦＤＭは、ＯＦＤＭシンボル内の幾つかの副搬送波にわたってデータを変調する拡散スペクトル技法である。副搬送波は、正確な周波数で間隔があけられる。間隔をあけることは、受信機が副搬送波からデータを復元するのを可能にする“直交性”を提供する。時間領域において、ＯＦＤＭシンボル間の干渉に対処するために各ＯＦＤＭシンボルにガード間隔（例えば、サイクリックプリフィックス）を加えることができる。ＵＬは、高いピーク対平均電力比（ＰＡＰＲ）を補償するためにＳＣ−ＦＤＭＡをＤＦＴ拡散ＯＦＤＭ信号の形で使用することができる。
[0040]  図３は、ＬＴＥにおけるＤＬフレーム構造の例を示した概略図３００である。フレーム（１０ｍｓ）は、１０の等しいサイズのサブフレームに分割することができる。各サブフレームは、２つの連続するタイムスロットを含むことができる。２つのタイムスロットを表現するためにリソースグリッドを使用することができ、各タイムスロットは、リソースブロックを含む。リソースグリッドは、複数のリソース要素に分割される。ＬＴＥでは、リソースブロックは、周波数領域内に１２の連続する副搬送波を入れることができ、各ＯＦＤＭシンボル内の通常のサイクリックプリフィックスに関しては、時間領域内に７つの連続するＯＦＤＭシンボル、または８４のリソース要素が入っている。拡張されたサイクリックプリフィックスの場合は、リソースブロックには、時間領域内に６つの連続するＯＦＤＭシンボル、または７２のリソース要素が入ることができる。リソース要素の一部は、Ｒ３０２、３０４として示され、ＤＬ基準信号（ＤＬ−ＲＳ）を含む。ＤＬ−ＲＳは、セル専用ＲＳ（ＣＲＳ）（共通ＲＳとも呼ばれる）３０２と、ＵＥ専用ＲＳ（ＵＥ−ＲＳ）３０４と、を含む。ＵＥ−ＲＳ３０４は、対応する物理ＤＬ共有チャネル（ＰＤＳＣＨ）がマッピングされるリソースブロックのみで送信される。各リソース要素によって搬送波されるビット数は、変調方式に依存する。このように、ＵＥが受信するリソースブロックが多いほどおよび変調方式が高いほど、ＵＥに関するデータレートが高くなる。
[0041]  図４は、ＬＴＥにおけるＵＬフレーム構造の例を示した概略図４００である。ＵＬに関する利用可能なリソースブロックは、データ部および制御部に分割することができる。制御部は、システム帯域幅の２つの縁部において形成することができおよび設定可能なサイズを有することができる。制御部内のリソースブロックは、制御情報の送信のためにＵＥに割り当てることができる。データ部は、制御部に含まれていないすべてのリソースブロックを含むことができる。ＵＬフレーム構造の結果として、データ部は隣接する副搬送波を含み、そのことは、データ部のすべての隣接する副搬送波を単一のＵＥに割り当てるのを可能にすることができる。
[0042]  ＵＥには、ｅＮＢに制御情報を送信するために制御部内でリソースブロック４１０ａ、４１０ｂを割り当てることができる。ＵＥには、ｅＮＢにデータを送信するためにデータ部内でリソースブロック４２０ａ、４２０ｂを割り当てることもできる。ＵＥは、制御部内の割り当てられたリソースブロックにおける物理ＵＬ制御チャネル（ＰＵＣＣＨ）で制御情報を送信することができる。ＵＥは、データ部内の割り当てられたリソースブロックにおける物理ＵＬ共有チャネル（ＰＵＳＣＨ）でデータのみまたはデータと制御情報の両方を送信することができる。ＵＬ送信は、サブフレームの両方のスロットにわたることができおよび周波数間でホップすることができる。
[0043]  物理ランダムアクセスチャネル（ＰＲＡＣＨ）４３０で最初のシステムアクセスを行いおよびＵＬ同期化を達成するために一組のリソースブロックを使用することができる。ＰＲＡＣＨ４３０は、ランダムシーケンスを搬送し、および、ＵＬデータ／シグナリングを搬送することができない。各ランダムアクセスプリアンブルは、６つの連続するリソースブロックに対応する帯域幅を占める。開始周波数は、ネットワークによって指定される。すなわち、ランダムアクセスプリアンブルの送信は、ある一定の時間リソースおよび周波数リソースに制限される。ＰＲＡＣＨに関して周波数ホッピングは存在しない。ＰＲＡＣＨ試行は、単一のサブフレーム（１ｍｓ）でまたは幾つかの隣接するサブフレームのシーケンスで搬送され、ＵＥは、１つフレーム当たり（１０ｍｓ）単一のＰＲＡＣＨ試行のみを行うことができる。
[0044]  図５は、ＬＴＥにおけるユーザプレーンおよび制御プレーンに関する無線プロトコルアーキテクチャの例を示した概略図５００である。ＵＥおよびｅＮＢに関する無線プロトコルアーキテクチャは、３つの層、すなわち、層１、層２、および層３、を有する状態で示される。層１（Ｌ１層）は、最低層であり、様々な物理層信号処理機能を実装する。Ｌ１層は、ここでは物理層５０６と呼ばれる。層２（Ｌ２層）５０８は、物理層５０６の上方の層であり、物理層５０６を通じてのＵＥとｅＮＢとの間のリンクを担当する。
[0045]  ユーザプレーンにおいて、Ｌ２層５０８は、メディアアクセス制御（ＭＡＣ）副層５１０と、無線リンク制御（ＲＬＣ）副層５１２と、パケットデータコンバージェンスプロトコル（ＰＤＣＰ）５１４副層と、を含み、それらは、ネットワーク側でｅＮＢにおいて終端される。示されていないが、ＵＥは、Ｌ２層５０８の上方において幾つかの上層を有することができ、ネットワーク側でＰＤＮゲートウェイ１１８において終端されるネットワーク層（例えば、ＩＰ層）、接続の他端において終端されるアプリケーション層（例えば、遠端のＵＥ、サーバ、等）を含む。
[0046]  ＰＤＣＰ副層５１４は、異なる無線ベアラと論理チャネルとの間の多重化を提供する。ＰＤＣＰ副層５１４は、無線送信オーバーヘッドを低減するための上層データパケットに関するヘッダ圧縮、データパケットを符号化することによるセキュリティ、および、ｅＮＢ間のＵＥに関するハンドオーバーサポートも提供する。ＲＬＣ副層５１２は、上層データパケットのセグメンテーションと再アセンブリ、失われたデータパケットの再送信、および、ハイブリッド自動再送要求（ＨＡＲＱ）に起因する順序が違った受信を補償するためのデータパケットの順序再設定を提供する。ＭＡＣ副層５１０は、論理チャネルとトランスポートチャネルとの間の多重化を提供する。ＭＡＣ副層５１０は、ＵＥ間で１つのセルにおいて様々な無線リソース（例えば、リソースブロック）を割り当てることも担当する。ＭＡＣ副層５１０は、ＨＡＲＱ動作も担当する。
[0047]  制御プレーンにおいて、ＵＥおよびｅＮＢに関する無線プロトコルアーキテクチャは、物理層５０６およびＬ２層５０８に関して実質的に同じであるが、制御プレーンに関してはヘッダ圧縮機能は存在しない。制御プレーンは、層３（Ｌ３層）の無線リソース制御（ＲＲＣ）副層５１６も含む。ＲＲＣ副層５１６は、無線リソース（例えば、無線ベアラ）を得ることおよびｅＮＢとＵＥとの間でのＲＲＣシグナリングを用いてより下位の層を構成することを担当する。
[0048]  図６は、アクセスネットワークにおいてＵＥ６５０と通信状態にあるｅＮＢ６１０のブロック図である。ＤＬにおいて、コアネットワークからの上層パケットがコントローラ／プロセッサ６７５に提供される。コントローラ／プロセッサ６７５は、Ｌ２層の機能を実装する。ＤＬにおいて、コントローラ／プロセッサ６７５は、ヘッダ圧縮、符号化、パケットのセグメンテーションと順序再設定、論理チャネルとトランスポートチャネルとの間の多重化、および、様々な優先度メトリックに基づくＵＥ６５０への無線リソース割り当てを提供する。コントローラ／プロセッサ６７５は、ＨＡＲＱ動作、失われたパケットの再送信、およびＵＥ６５０へのシグナリングも担当する。
[0049]  送信（ＴＸ）プロセッサ６１６は、Ｌ１層（すなわち、物理層）に関する様々な信号処理機能を実装する。信号処理機能は、ＵＥ６５０における前方誤り訂正（ＦＥＣ）を容易にするためのコーディングおよびインターリービングと、様々な変調方式（例えば、２位相偏移変調（ＢＰＳＫ）、直交位相偏移変調（ＱＰＳＫ）、Ｍ位相偏移変調（Ｍ−ＰＳＫ）、Ｍ直交振幅変調（Ｍ−ＱＡＭ））に基づいて信号点配置にマッピングすることと、を含む。コーディングおよび変調されたシンボルは、平行するストリームに分割される。各ストリームは、ＯＦＤＭ副搬送波にマッピングされ、時間領域および／または周波数領域において基準信号（例えば、パイロット）と多重化され、次に、時間領域ＯＦＤＭシンボルストリームを搬送する物理チャネルを生成するために逆高速フーリエ変換（ＩＦＦＴ）を用いてまとめて結合される。ＯＦＤＭストリームは、複数の空間ストリームを生成するために空間的にプリコードされる。チャネル推定器６７４からのチャネル推定値は、コーディングおよび変調方式を決定するために、および空間的処理のために使用することができる。チャネル推定値は、ＵＥ６５０によって送信された基準信号および／またはチャネル状態フィードバックから導き出すことができる。各空間ストリームは、別個の送信機６１８ＴＸを介して異なるアンテナ６２０に提供することができる。各送信機６１８ＴＸは、送信のために各々の空間ストリームとともにＲＦ搬送波を変調することができる。
[0050]  ＵＥ６５０において、各受信機６５４ＲＸは、各々のアンテナ６５２を通じて信号を受信する。各受信機６５４ＲＸは、ＲＦ搬送波上に変調された情報を復元し、受信（ＲＸ）プロセッサ６５６にその情報を提供する。ＲＸプロセッサ６５６は、Ｌ１層の様々な信号処理機能を実装する。ＲＸプロセッサ６５６は、ＵＥ６５０に向けられた空間ストリームを復元するために情報に関する空間的処理を行うことができる。複数の空間ストリームがＵＥ６５０向けである場合は、それらは、ＲＸプロセッサ６５６によって単一のＯＦＤＭシンボルストリームに結合することができる。次に、ＲＸプロセッサ６５６は、高速フーリエ変換（ＦＦＴ）を用いてＯＦＤＭシンボルストリームを時間領域から周波数領域に変換する。周波数領域信号は、ＯＦＤＭ信号の各副搬送波に関して別々のＯＦＤＭシンボルストリームを備える。各副搬送波のシンボル、および基準信号は、ｅＮＢ６１０によって送信された最も可能性が高い信号点配置点を決定することによって復元および復調される。これらのソフト決定は、チャネル推定器６５８によって計算されたチャネル推定値に基づくことができる。次に、ソフト決定は、物理チャネルでｅＮＢ６１０によって最初に送信されたデータおよび制御信号を復元するために復号およびデインターリーブされる。次に、データおよび制御信号は、コントローラ／プロセッサ６５９に提供される。
[0051]  コントローラ／プロセッサ６５９は、Ｌ２層を実装する。コントローラ／プロセッサは、プログラムコードおよびデータを格納するメモリ６６０と関連付けることができる。メモリ６６０は、コンピュータ読み取り可能媒体と呼ぶことができる。ＵＬにおいて、コントローラ／プロセッサ６５９は、トランスポートチャネルと論理チャネルとの間での多重化解除、パケットリアセンブリ、復号、ヘッダ圧縮解除、コアネットワークから上層パケットを復元するための制御信号処理を提供する。次に、上層パケットがデータシンク６６２に提供され、Ｌ２層よりも上方のすべてのプロトコル層を表す。Ｌ３処理のために様々な制御信号をデータシンク６６２に提供することもできる。コントローラ／プロセッサ６５９は、ＨＡＲＱ動作をサポートするための肯定応答（ＡＣＫ）および／または否定応答（ＮＡＣＫ）プロトコルを用いた誤り検出も担当する。
[0052]  ＵＬにおいて、コントローラ／プロセッサ６５９に上層パケットを提供するためにデータソース６６７が使用される。データソース６６７は、Ｌ２層の上方のすべてのプロトコル層を代表する。ｅＮＢ６１０によるＤＬ送信と関係させて説明される機能と同様に、コントローラ／プロセッサ６５９は、ｅＮＢ６１０による無線リソース割り当てに基づいてヘッダ圧縮、符号化、パケットのセグメンテーションと順序再設定、および論理チャネルとトランスポートチャネルとの間での多重化を提供することによってユーザプレーンおよび制御プレーンに関するＬ２層を実装する。コントローラ／プロセッサ６５９は、ＨＡＲＱ動作、失われたパケットの再送信、およびｅＮＢ６１０へのシグナリングも担当する。
[0053]  ｅＮＢ６１０によって送信された基準信号またはフィードバックからチャネル推定器６５８によって導き出されたチャネル推定値は、該当するコーディングおよび変調方式を選択するために、および空間処理を容易にするためにＴＸプロセッサ６６８によって使用することができる。ＴＸプロセッサ６６８によって生成された空間ストリームは、別々の送信機６５４ＴＸを介して異なるアンテナ６５２に提供することができる。各送信機６５４ＴＸは、送信のために各々の空間ストリームとともにＲＦ搬送波を変調することができる。
[0054]  ＵＬ送信は、ＵＥ６５０における受信機機能と関係させて説明される方法と同様のそれでｅＮＢ６１０において処理される。各受信機６１８ＲＸは、それの各々のアンテナ６２０を通じて信号を受信する。各受信機６１８ＲＸは、ＲＦ搬送波上に変調された情報を復元し、ＲＸプロセッサ６７０にその情報を提供する。ＲＸプロセッサ６７０は、Ｌ１層を実装することができる。
[0055]  コントローラ／プロセッサ６７５は、Ｌ２層を実装する。コントローラ／プロセッサ６７５は、プログラムコードおよびデータを格納するメモリ６７６と関連付けることができる。メモリ６７６は、コンピュータ読み取り可能媒体と呼ぶことができる。ＵＬにおいて、コントローラ／プロセッサ６７５は、ＵＥ６５０から上層パケットを復元するためにトランスポートチャネルと論理チャネルとの間での多重化解除、パケットリアセンブリ、復号、ヘッダ圧縮、制御信号処理を提供する。コントローラ／プロセッサ６７５からの上層パケットは、コアネットワークに提供することができる。コントローラ／プロセッサ６７５は、ＨＡＲＱ動作をサポートするためのＡＣＫおよび／またはＮＡＣＫプロトコルを用いた誤り検出も担当する。
搬送波アグリゲーション
[0056]  ＵＥは、各方向への送信のために使用される最大で合計１００ＭＨｚ（５のコンポーネント搬送波）の搬送波アグリゲーションで割り当てられた最大２０ＭＨｚ帯域幅のスペクトルを使用することができる。概して、ダウンリンクよりもアップリンクほうがより少ないトラフィックが送信され、このため、アップリンクスペクトル割り当ては、ダウンリンク割り当てよりも小さいことができる。例えば、２０ＭＨｚがアップリンクに割り当てられる場合は、ダウンリンクには１００Ｍｈｚを割り当てることができる。これらの非対称的なＦＤＤ割り当ては、スペクトルを節約し、ブロードバンド加入者による典型的に非対称的な帯域幅利用に好適である。
搬送波アグリゲーションタイプ
[0057]  ２つのタイプの搬送波アグリゲーション（ＣＡ）法、連続的ＣＡおよび非連続的ＣＡ、が提案されている。２つのタイプのＣＡ法は、図７Ａおよび７Ｂにおいて例示されている。非連続的ＣＡは、複数の利用可能なコンポーネント搬送波が周波数帯域に沿って分離されるときに生じる（図７Ｂ）。他方、連続的ＣＡは、複数の利用可能なコンポーネント搬送波が互いに隣接するときに生じる（図７Ａ）。非連続的ＣＡおよび連続的ＣＡの両方とも、単一のＵＥにサービスを提供するために複数のＬＴＥ／コンポーネント搬送波を統合する。
【０００９】
[0058]  搬送波は周波数帯域に沿って分離されるため、非連続的ＣＡを用いて複数のＲＦ受信ユニットおよび複数のＦＦＴを配備することができる。非連続的ＣＡは、大きな周波数範囲にわたる複数の分離された搬送波におけるデータ送信をサポートするため、伝播経路損失、ドップラシフト、およびその他の無線チャネル特性は、異なる周波数帯域で大きく変化することがある。
【００１０】
[0059]  従って、非連続的ＣＡアプローチ法に基づくブロードバンドデータ送信をサポートするために、異なるコンポーネント搬送波に関してコーディング、変調、および送信電力を好適に調整するために方法を使用することができる。例えば、ｅＮＢが各コンポーネント搬送波に関して固定された送信電力を有する場合は、各コンポーネント搬送波の有効なカバレッジまたはサポート可能な変調およびコーディングは異なることがある。
【００１１】
[0060]  図８は、空中−地上モバイルシステムに関するシステムフレームワークを例示した概略図８００である。ＤＬにおいて、ＰＤＮゲートウェイ（Ｐ−ＧＷ）８０４は、複数のｅＮＢ８０８、８１０、８１２、８１４、８１６と通信するサービングゲートウェイ（Ｓ−ＧＷ）８０６と通信する。ｅＮＢは、共配置される。ｅＮＢ８０８乃至８１６のうちの各々は、異なる搬送波周波数で動作する。一構成において、各ｅＮＢは、２０ＭＨｚスペクトルで動作し、ｅＮＢ８０８乃至８１６は、まとめて、複数の搬送波を通じて１００ＭＨｚスペクトルで動作する。ｅＮＢ８０８乃至８１６のうちの各々は、航空機（エアカード）８１８内の対応するモバイルデータモデム（ＭＤＭ）８１８と通信する。モデムは、航空機内のＩＰアグリゲーションユニット８２０に受信されたＤＬ通信を提供する。ＩＰアグリゲーションユニット８２０は、ＤＬ通信を統合し、航空機内の様々なＵＥへの送信のためにローカル航空機トランシーバユニットに統合されたＤＬ通信を提供する。ＵＬにおいて、航空機内のローカル航空機トランシーバユニットは、航空機内の様々なＵＥからＵＬ通信を受信し、様々なモデムにＵＬ通信を配信する。モデムのうちの各々は、対応するｅＮＢと通信し、対応するｅＮＢは、Ｓ−ＧＷ８０６に受信されたＵＬ通信を提供する。ＮＷ  ＩＰアグリゲーションユニット８０２は、ＵＬ通信を統合する。
【００１２】
[0061]  図９は、図８のシステムフレームワーク内の接続管理エンティティを例示した概略図９００である。多搬送波接続管理（ＭＣ−ＣＭ）エンティティ９０２は、搬送波のうちの各々に関してモデム９０６とｅＮＢ９０４との間での通信を調整することができる。具体的には、ＭＣ−ＣＭ９０２は、ｅＮＢ９０４がモデム９０６と通信するのを可能にするために各ｅＮＢにモデムを割り当てることができる。ＭＣ−ＣＭ９０２は、ＰＤＣＣＨローディング上の制約に起因して調整を行うことができる。従って、モデムの組はある特定のｅＮＢのカバレッジ内に存在することができる一方で、ＭＣ−ＣＭ９０２は、ｅＮＢ９０４間での負荷を均衡化するためにモデムの組の部分組のみを特定のｅＮＢに割り当てることができる。例えば、搬送波＃ｍで動作しているｅＮＢに関しては、ＭＣ−ＣＭ９０２は、ｎのエアカードのモデムＭＤＭ＃ｍの組の部分組のみを割り当てることができる。数多くの航空機がｅＮＢのカバレッジエリア内に存在するときには、ＭＣ−ＣＭ９０２は、幾つかのモデムがｅＮＢと通信するのを停止させることができる。ｅＮＢ９０４のカバレッジエリア内に航空機がほとんど存在しない場合は、ＭＣ−ＣＭ９０２は、ｅＮＢとの通信のために幾つかのモデムを追加することができる。従って、特定の航空機内のＵＥは、ｅＮＢ９０４のカバレッジエリアが航空機によってどの程度混雑しているかに依存して２０ＭＨｚの帯域幅と１００ＭＨｚの帯域幅との間で動作することができる。ＭＣ−ＣＭ９０２は、ｅＮＢ９０４のカバレッジエリア内の航空機数に基づいて各航空機内のＵＥが利用可能な帯域幅を有効に制御する。
【００１３】
[0062]  図１０は、接続管理エンティティの動作を例示した概略図１０００である。ＭＣ−ＣＭ１００２は、搬送波間でのＲＲＣ／ＳＩ接続を管理する。ＭＣ−ＣＭ１００２は、搬送波に関して機能するように選択されたモデムのリストを搬送波で動作しているｅＮＢ１００４のｅＮＢに転送する。ｅＮＢは、周波数（副帯域）、時間（サブフレーム）、および空間（ビーム）の点でのリソース割り当てを決定する。図１０において示されるように、１１のフライト／航空機のうちで、ＭＣ−ＣＭ１００２は、各ｅＮＢにフライトの部分組を割り当てる。図１０において、搬送波＃１で動作している第１のｅＮＢ１００６は、フライト１、２、３、４、６、７、８、および１０において搬送波＃１に関するモデムと通信し、搬送波＃２で動作している第２のｅＮＢ１００８は、フライト１、２、３、５、６、７、９、および１０において搬送波＃２に関するモデムと通信し、搬送波＃３で動作している第３のｅＮＢ１０１０は、フライト１、２、４、５、６、７、９、および１１において搬送波＃３に関するモデムと通信し、搬送波＃４で動作している第４のｅＮＢ１０１２は、フライト１、３、４、５、６、８、９、および１１において搬送波＃４に関するモデムと通信し、搬送波＃５で動作している第５のｅＮＢ１０１４は、フライト２、３、４、５、７、８、１０、および１１において搬送波＃５に関するモデムと通信する。
【００１４】
[0063] ＭＣ−ＣＭ１００２は、特定のエリアのカバレッジ内のモデムの組を決定する。モデムの組内の各モデムは、特定の航空機および複数の搬送波のうちの１つの搬送波と関連付けられる。ＭＣ−ＣＭ１００２は、基地局１００４の組の各基地局にモデムの組の部分組を割り当てる。割り当ては、各基地局がモデムの割り当てられた部分組と通信するのを可能にする。各基地局は、複数の搬送波のうちの異なる搬送波で動作する。例えば、図１０を参照し、ＭＣ−ＣＭ１００２は、特定のエリアのカバレッジ内のモデムの組を決定する。モデムの組は、リストに記載されたＵＥ  ＩＤ０１０１、０１０２、０１０３、．．．、１１０５を有するモデムを含む。モデムの組内の各モデムは、特定の航空機および複数の搬送波のうちの１つの搬送波と関連付けられる。例えば、ＵＥ_ＩＤ０１０１を有するモデムは、フライト１および搬送波＃１と関連付けられる。ＭＣ−ＣＭ１００２は、基地局１００４の組の各基地局にモデムの組の部分組を割り当てる。例えば、ＭＣ−ＣＭ１００２は、ＵＥ_ＩＤ０１０１、０２０１、０３０１、０４０１、０６０１、０７０１、０８０１、および１００１と関連付けられたモデムの部分組を搬送波＃１で動作している第１のｅＮＢ１００６に割り当てる。割り当ては、各基地局がモデムの割り当てられた部分組と通信するのを可能にする。
【００１５】
[0064]  特定のエリアのカバレッジ内のモデムの組が変わったとＭＣ−ＣＭ１００２が決定したときには、ＭＣ−ＣＭ１００２は、各基地局にモデムの組の部分組を再度割り当てることができる。例えば、フライト１２がｅＮＢ１００４のカバレッジエリア内に入った場合は、ＭＣ−ＣＭ１００２はｅＮＢ１００４の一部がフライト１２のモデムと通信するようにｅＮＢ１００４のうちの各々にモデムを再度割り当てることができる。
【００１６】
[0065]   ＭＣ−ＣＭ１００２は、特定のエリアのカバレッジ内のモデムの第１の組を示す情報を受信することができる。ＭＣ−ＣＭ１００２は、特定のエリアにサービスを提供する基地局１００４から情報を受信することができる。モデムの第１の部分組は、ＲＲＣ接続状態にあるおよび／または基地局１００４に接続しようとしているモデムを含むことができる。ＭＣ−ＣＭ１００２は、受信された情報に基づいて特定のエリアのカバレッジ内のモデムの第２の部分組の存在を推測することができる。例えば、ＭＣ−ＣＭ１００２は、ＵＥ  ＩＤ  ０１０１と関連付けられたモデムの存在を示す情報を受信し、ＵＥ  ＩＤ０１０２、０１０３、０１０４、および０１０５と関連付けられたモデムの存在を推測することができる。ＭＣ−ＣＭ１００２は、モデムの第１および第２の部分組内のモデムを割り当てることができる。さらに、ＭＣ−ＣＭ１００２は、基地局の組の１つ以上のターゲット基地局にハンドオーバーされることになるモデムの第３の組を決定することができる。例えば、モデムの第３の組は、ＵＥ  ＩＤ１２０１、１２０２、１２０３、１２０４、および１２０５を有するフライト１２に搭載されたモデムを含むことができる。ＭＣ−ＣＭ１００２は、１つ以上のターゲット基地局からモデムの第３の部分組を示す情報を受信することができる。ＭＣ−ＣＭ１００２は、モデムの第１、第２、および第３の組内のモデムを割り当てることができる。
【００１７】
[0066]  従って、ＭＣ−ＣＭ１００２は、ハンドオーバーの場合はスケジュールを更新することができ、その間に、航空機は依然として旧セル内に存在することができる（すなわち、現在のカバレッジ下にない）が、ターゲットｅＮＢには事前に通知される。ターゲットｅＮＢは、新しい航空機のための準備として再割り当てがトリガされるようにＭＣ−ＣＭ１００２にハンドオーバーを知らせることができる。さらに、ＭＣ−ＣＭ１００２は、モデムと航空機との間の関連性を知っていることができ、このため、１つのモデムがセルに入る／セルにハンドオーバーするのを試行するときには、ＭＣ−ＣＭ１００２は、航空機内のその他のモデムもセルに移動することになるのを知っている。例えば、ＵＥ  ＩＤ１２０２を有するモデムがセルに入る／セルにハンドオーバーするのを試行ステップする場合は、ＭＣ−ＣＭ１００２は、航空機内のＵＥ  ＩＤ１２０１、１２０３、１２０４、および１２０５と関連付けられたモデムも同様にセルに移動することになると決定することができる。
【００１８】
[0067]  図１１は、接続管理エンティティ１１０２および関連付けられたｅＮＢ１１０４の動作を例示した概略図１１００である。ｅＮＢ１１０４は、干渉による影響に基づいてフライト／ＭＤＭに受信（Ｒｘ）ビーム、ＵＬ副帯域、サブフレーム、等を割り当てることができる。ｅＮＢ１１０４は、適切なＨＡＲＱ  ＡＣＫ／ＮＡＫ動作のためにリソース割り当てにおいてＵＬおよびＤＬをいっしょに考慮することができる。上述されるように、ｅＮＢ１１０４は、割り当てられたＭＤＭのリストを受信することができる。ｅＮＢ１１０４は、リストに記載されていない（割り当てられていない）ＭＤＭへの接続を解除することができる。ｅＮＢ１１０４は、アイドル状態にあるＭＤＭがｅＮＢ１１０４に再接続しないようにするために解除メッセージ内の延長された待機時間を構成／設定することができる。ｅＮＢ１１０４は、必要に応じて接続されているフライト間での干渉を回避するために（現在割り当てられている）リスト上の既存の接続されたＭＤＭに関してＵＬでの副帯域およびサブフレームの割り当てを変更することができる。ｅＮＢ１１０４は、ページングを介してリスト上のアイドルのＭＤＭをウェークアップさせることができる。
【００１９】
[0068]  具体的には、基地局、例えば、ｅＮＢ１１０４、は、基地局のカバレッジ内のモデムの組を決定する。モデムの組は、複数の搬送波のうちの１つの搬送波と関連付けられる。基地局は、１つの搬送波で動作する。モデムの組内の各モデムは、異なる航空機と関連付けられる。基地局は、モデムの組を示す情報を送信する。基地局は、送信された情報に応答してモデムの第２の組の割り当てを受信する。割り当ては、基地局がモデムの割り当てられた第２の組と通信するのを可能にする。例えば、図１１を参照し、ｅＮＢ１１０４は、ｅＮＢ１１０４のカバレッジ内に存在するＵＥ_ＩＤ０１０５、０２０５、０３０５、０４０５、０５０５、０６０５、０７０５、０８０５、０９０５、１００５、１１０５のうちの１つ以上と関連付けられたモデムの組を決定する。モデムの組は、複数の搬送波のうちの搬送波＃５と関連付けられる。ｅＮＢ１１０４は、搬送波＃５で動作する。モデムの組内の各モデムは、異なる航空機（フライト１乃至１１）と関連付けられる。ｅＮＢ１１０４は、モデムの組を示す情報をＭＣ−ＣＭ１１０２に送信する。例えば、ｅＮＢ１１０４は、モデム０１０５、０３０５、０４０５、０９０５、および１１０５の組を示す情報を送信することができる。ｅＮＢ１１０４は、セル内の基地局のカバレッジ内のすべてのモデムがＲＲＣ接続状態にない場合はそれらをすべて知っていることはできない。ｅＮＢ１１０４は、ｅＮＢ１１０４に接続されている／接続しようとしているモデムのリストを報告することができる。ＭＣ−ＣＭ１１０２は、モデムと航空機との間の関連性を知っていることができ、従って、ＭＣ−ＣＭ１１０２は、航空機のその他のモデムの存在を推測することができる。さらに、ＭＣ−ＣＭ１１０２は、その他のモデムで報告しているその他のｅＮＢから情報を受信し、ＭＣ−ＣＭ１１０２が受信するすべての情報に基づいてモデムの存在を推測することができる。ｅＮＢ１００４は、送信された情報に応答してモデムの第２の組の割り当てを受信する。モデムの第２の組は、ＵＥ_ＩＤ０２０５、０３０５、０４０５、０５０５、０７０５、０８０５、１００５、および１１０５と関連付けられたモデムを含む。ｅＮＢ１１０４は、新しい接続リストを生成し、接続リストにモデムの第２の組を加える。割り当ては、ｅＮＢ１１０４がモデムの割り当てられた第２の組と通信するのを可能にする。従って、ｅＮＢ１１０４は、フライト２、３、４、５、７、８、１０、および１１において搬送波＃５に関してモデムと通信することが許容される。
【００２０】
[0069]  基地局、例えば、ｅＮＢ１１０４、は、ＲＲＣ接続状態にあるモデムの最初の組と通信する。基地局は、モデムの最初の組をモデムの割り当てられた第２の組と比較する。基地局は、比較に基づいてモデムの最初の組またはモデムの割り当てられた第２の組のうちの少なくとも１つ内のモデムに関するＲＲＣ状態を決定する。例えば、ＵＥ_ＩＤ０３０５と関連付けられたモデムがｅＮＢ１１０４と前に通信状態にあった（すなわち、ＲＲＣ接続状態にあった）と仮定する。従って、ＵＥ_ＩＤ０３０５と関連付けられたモデムは、モデムの最初の組内にある。ＵＥ_ＩＤ０３０５と関連付けられたモデムもｅＮＢ１１０４に割り当てられる（モデムは、モデムの最初の組およびモデムの割り当てられた第２の組の両方に含まれている）ため、ｅＮＢ１１０４は、モデムとＲＲＣ接続状態を維持することができる。他の例に関して、ＵＥ_ＩＤ０１０５と関連付けられたモデムがｅＮＢ１１０４と前に通信状態にあったと仮定する。従って、ＵＥ_ＩＤ０１０５と関連付けられたモデムは、モデムの最初の組内にある。ＵＥ_ＩＤ０１０５と関連付けられたモデムは、ｅＮＢ１１０４に割り当てられていない（モデムは、モデムの最初の組内に含まれ、モデムの割り当てられた第２の組内に含まれていない）ため、ｅＮＢ１１０４は、ＲＲＣ接続状態からＲＲＣアイドル状態に入るためにモデムとのＲＲＣ接続を解除することができる。ｅＮＢ１１０４は、モデムがある特定の期間の間ＲＲＣアイドル状態からＲＲＣ接続状態に移行するのを試行するのを防止する（モデムがＲＡＣＨ手順を実施するのを防止する）ためにモデムにおいてタイマを構成することもできる。他の例に関して、ＵＥ_ＩＤ０２０５と関連付けられたモデムがｅＮＢ１１０４と前に通信状態になかった（すなわち、ＲＲＣアイドル状態にあった）と仮定する。従って、ＵＥ_ＩＤ０２０５と関連付けられたモデムは、モデムの最初の組内にはない。ＵＥ_ＩＤ０２０５と関連付けられたモデムはｅＮＢ１１０４に割り当てられる（モデムは、モデムの割り当てられた第２の組内に含まれ、モデムの最初の組内に含まれない）ため、ｅＮＢ１１０４は、（ＲＡＣＨ手順を実施することによって）ＲＲＣアイドル状態からＲＲＣ接続状態に入るようにモデムにページングすることができる。
【００２１】
[0070]  ＤＬデータがＳ−ＧＷにおいて立ち往生するのを回避するために、
ＭＣ−ＣＭ１１０２は、航空機に割り当てられていない搬送波でのＰＤＮ接続を通じてのＤＬ送信を中断するようにＮＷ  ＩＰアグリゲータに通知することができる。ＭＣ−ＣＭ１１０２は、航空機が搬送波を通じて接続されたときに必要に応じてＤＬ送信を再開するようにＮＷ  ＩＰアグリゲータに通知することができる。航空機に搭載されたＭＤＭが搬送波でネットワークに接続するのを試行する場合は、ＭＣ−ＣＭ１１０２は、５つの搬送波にわたる公平なリソースシェアリングのための接続後にＭＤＭをアイドル状態にすることを決定した場合でもＭＤＭが接続手順を完了するためのリソースを割り当てることができる。ＭＣ−ＣＭ１１０２は、論理的なエンティティである。ＭＣ−ＣＭ１１０２は、ＭＭＥに常駐することができまたは５つのｅＮＢをわたる独立型の装置であることができる。
【００２２】
[0071]  上記において、異なる基地局に航空機内のモデムを割り当てるために基地局と調整するＭＣ−ＣＭ１１０２を参照する一方で、ＭＣ−ＣＭ１１０２は、異なるセルに航空機内のモデムを割り当てるためにセルと調整することができる。各セルは、基地局であることができまたは基地局の複数のセルのうちの１つであることができる。例えば、基地局は、複数のセルを含むことができ、各々は、異なる搬送波周波数と関連付けられる。ＭＣ−ＣＭ１１０２は、各々のセルに航空機内のモデムを割り当てるためにセルと調整することができる。
【００２３】
[0072]  図１２は、帯域幅アグリゲーションに関する多搬送波接続管理のための例示的な方法を示したフローチャート１２００である。帯域幅アグリゲーションに関する多搬送波接続管理は、ＬＴＥベアラを通じて行うことができる。フローチャートは、ステップ１２０２において開始する。ステップ１２０４において、搬送波ｋで動作するセル（例えば、ｅＮＢまたはｅＮＢ内のセル）は、いずれかのＵＥ（ＭＤＭ）が搬送波ｋを介してのセルへの接続／ハンドオーバーを試行したかどうかを決定する。ステップ１２０４においていいえである場合は、ステップ１２０６において、セルは、いずれかの航空機がセルを離れているかどうかを決定する。ステップ１２０６においていいえである場合は、流れはステップ１２０２に戻る。ステップ１２０６においてはいである場合は、ステップ１２０８において、セルは、新しい接続リストを生成する。ステップ１２１０において、セルは、新しい接続リスト内にない接続されたＵＥを解放し、解放されたＵＥへのＤＬ送信を中断するようにＮＷ  ＩＰアグリゲータに通知する。ステップ１２１２において、セルは、新しい接続リスト内のアイドルＵＥにページングし、それらのＵＥへのＤＬ送信を再開するようにＮＷ  ＩＰアグリゲータに通知する。引き続き、流れは、ステップ１２０２に戻る。
【００２４】
[0073]  ステップ１２０４において、ＵＥが搬送波ｋを介してセルに接続／ハンドオーバーすることを試行した場合は、ステップ１２１４において、セルは、接続／ハンドオーバーの試行がセルへの最初の接続であるかどうかを決定する。ステップ１２１４においていいえである場合は、ステップ１２１６において、セルは、ＵＥが最初の接続を完了するためのリソースを割り当てる。ステップ１２１６に引き続き、または、ステップ１２１４においてはいである場合は、ステップ１２１８において、セルは、ＵＥを搭載する航空機のために新しい接続リストが生成されたかどうかを決定する。ステップ１２１８においていいえである場合は、ステップ１２２０において、セルは、新しい接続リストを生成する。ステップ１２２２において、セルは、新しい接続リスト内にない接続されたＵＥを解放し、解放されたＵＥへのＤＬ送信を中断するようにＮＷ  ＩＰアグリゲータに通知する。ステップ１２２４において、セルは、新しい接続リスト内のアイドルのＵＥにページングし、それらのＵＥへのＤＬ送信を再開するようにＮＷ  ＩＰアグリゲータに通知する。ステップ１２２４に引き続き、または、ステップ１２１８において、ＵＥを搭載する航空機のために新しい接続リストが生成されたとセルが決定した場合は、ステップ１２２６において、セルは、ハンドオーバー要求がＵＥから受信されたかどうかを決定する。ステップ１２２６においてはいである場合は、ステップ１２３８において、セルは、ＵＥへのＤＬ送信を中断するようにＮＷ  ＩＰアグリゲータに通知する。ステップ１２２６においていいえである場合は、ステップ１２２８において、セルは、ＵＥが搬送波ｋの接続リストに存在するかどうかを決定する。ステップ１２２８においていいえである場合は、ステップ１２３４において、セルは、ＵＥに関する搬送波ｋでのＲＲＣ接続を解除する。引き続き、ステップ１２３６において、セルは、ＵＥへのＤＬ送信を中断するようにＮＷ  ＩＰアグリゲータに通知する。しかしながら、ステップ１２２８においてはいである場合は、ステップ１２３０において、セルは、ＵＥを搬送波ｋでのＲＲＣ接続状態に維持する。引き続き、ステップ１２３２において、セルは、ＵＥへのＤＬ送信が中断されている場合はＤＬ送信を再開するようにＮＷ  ＩＰアグリゲータに通知する。ステップ１２３８、１２３６、および１２３２後は、流れがステップ１２０２に戻る。
【００２５】
[0074]  図１３は、第１の例示的な割り当て方法を示した概略図１３００である。１つの搬送波当たりｓの副帯域を有するｎの搬送波が存在し、ｅＮＢが各副帯域に関するｂのビームを提供することができると仮定すると、ｅＮＢのカバレッジ内のフライト／航空機に対してｎ＊ｓ＊ｂ＊の別々のリソースを割り当てることができる。図１３において示されるように、５つの搬送波、１つの搬送波当たり２つの副帯域、および各副帯域に関して４つのビームが存在し、ｅＮＢのカバレッジ内のフライト／航空機への割り当て用に４０のリソースを提供する。図１３において示されるように、ＭＣ−ＣＭは、Ｎ−ｒのフライト／航空機に関しては１つのフライト／航空機当たりｋのリソース、ｒのフライト／航空機に関しては１つのフライト／航空機当たりｋ＋１のリソースを提供することによってほぼ均等にリソースを割り当てることができ、ここで、４０＝Ｎ＊ｋ＋ｒである。図１３において、Ｎ＝１１、ｋ＝３、およびｒ＝７である。具体的には、割り当てアルゴリズムでは、（１）において、ＭＣ−ＣＭは、フライトを優先順にリストに記載する。最高のｒの優先度のフライトには、各々（ｋ＋１）のリソース／ユニットが割り当てられる。残りの（Ｎ−ｒ）のフライトには、各々ｋのリソース／ユニットが割り当てられる。（２）において、ＭＣ−ＣＭは、上表の列にフライト番号をｘ回順次入れる（ｘ＝ｋまたはｋ＋１）。（３）において、フライトがｘよりも少ないワーキング（ｗｏｒｋｉｎｇ）ＭＤＭを有する場合は、ＭＣ−ＣＭは、可能な場合は予備のリソースをその他のフライトに再配分する。（４）において、ＭＣ−ＣＭは、搬送波ｍに接続されたフライトに関してｍ番目の行を読み取る。（５）において、ＭＣ−ＣＭは、現在の割り当て後に優先度を更新する。
【００２６】
[0075]  図１４は、第２の例示的な割り当て方法を示した概略図１４００である。図１４において、リソースは、複数のサブフレームインターレースに分割される。１つの無線フレーム当たり２つのＵＬサブフレームが存在すると仮定すると（ＴＤＤを使用）、１つのサブフレームは、インターレース０用であることができ、他方のサブフレームは、インターレース１用であることができる。従って、フライト／航空機への割り当てのためのリソース数は、ｎ＊ｓ＊ｂ＊ｉに等しく、ここで、ｉは、インターレース数である。図１４において示されるように、５つの搬送波、１つの搬送波当たり２つの副帯域、および各副帯域に関して４つのビーム、および２つのインターレースが存在し、ｅＮＢのカバレッジ内のフライト／航空機への割り当て用に８０のリソースを提供する。リソースは、図１３に関して論じられるのと同じ方法で分割することができる。
【００２７】
[0076]  図１５は、接続管理エンティティの第１の例示的な方法のフローチャート１５００である。図１５において示されるように、ステップ１５０２において、接続管理エンティティは、特定のエリアのカバレッジ内のモデムの組を決定する。モデムの組内の各モデムは、特定の航空機および複数の搬送波のうちの１つの搬送波と関連付けられる。例えば、ステップ１５０２において、ＭＣ−ＣＭは、１、２、．．．、５に等しいＸＹ（搬送波）および１、２、．．．、１１に等しいＺＷ（航空機）に関するＵＥ  ＩＤ  ＸＹＺＷと関連付けられたモデムの組は、特定のエリアのカバレッジ内に存在すると決定することができる。ステップ１５０４において、接続管理エンティティは、セルの組の各セルにモデムの組の部分組を割り当てる。割り当ては、各セルがモデムの割り当てられた部分組と通信するのを可能にする。各セルは、複数の搬送波のうちの異なる搬送波で動作する。例えば、図１０を参照し、ステップ１５０４において、ＭＣ−ＣＭは、ＵＥ  ＩＤ０１０１、０２０１、０３０１、０４０１、０６０１、０７０１、０８０１、および１００１を有するＭＤＭを第１の搬送波で動作する第１のセルに割り当て、ＵＥ  ＩＤ０１０２、０２０２、０３０２、０５０２、０６０２、０７０２、０９０２、１００２を有するＭＤＭを第２の搬送波で動作する第２のセルに割り当て、ＵＥ  ＩＤ０１０３、０２０３、０４０３、０５０３、０６０３、０７０３、０９０３、および１１０３を有するＭＤＭを第３の搬送波で動作する第３のセルに割り当て、ＵＥ  ＩＤ０１０４、０３０４、０４０４、０５０４、０６０４、０８０４、０９０４、および１１０４を有するＭＤＭを第４の搬送波で動作する第４のセルに割り当て、ＵＥ  ＩＤ０２０５、０３０５、０４０５、０５０５、０７０５、０８０５、１００５、および１１０５を有するＭＤＭを第５の搬送波で動作する第５のセルに割り当てる。ステップ１５０６において、接続管理エンティティは、特定のエリアのカバレッジ内のモデムの組が変わったと決定する。例えば、ＭＣ−ＣＭは、フライト／航空機１１がもはや特定のエリアのカバレッジ内に存在しないことおよび現在はフライト／航空機１２が特定のエリアのカバレッジ内に存在することを決定することができる。ステップ１５０８において、接続管理エンティティは、特定のエリアのカバレッジ内のモデムの組が変わったと決定した時点でモデムの組の部分組を各セルに再度割り当てる。例えば、ＭＣ−ＣＭは、フライト／航空機１１のＭＤＭを除外するためにおよび／またはフライト／航空機１２のＭＤＭを含めるためにモデムの組の部分組を再度割り当てることができる。
【００２８】
[0077]   接続管理エンティティは、特定のエリアのカバレッジ内のモデムの第１の部分組を示す情報を受信し、受信された情報に基づいて特定のエリアのカバレッジ内のモデムの第２の部分組の存在を推測することができる。例えば、接続管理エンティティは、ＵＥ  ＩＤ  ＸＹＺＷ（フライトＸＹおよび搬送波ＺＷ）と関連付けられたモデムの存在を示す情報を受信し、フライト／航空機ＸＹにおける全モデムの存在を推測することができる。ステップ１５０２において、接続管理エンティティは、特定のエリア内で存在が検出されたモデムの第１の部分組および特定のエリア内で存在が推測されたモデムの第２の部分組の両方を含めるためにモデムの組を決定することができる。接続管理エンティティは、セルの組の１つ以上のターゲットセルにハンドオーバーされることになるモデムの第３の部分組を決定することができる。接続管理エンティティは、モデムの第３の部分組を示す情報を１つ以上のターゲットセルから受信することができる。次に、接続管理エンティティは、割り当てが特定のエリアのカバレッジ内にまもなく存在することになるモデムを含むようにモデムの第３の部分組をさらに含めるためにモデムの組を決定することができる。ステップ１５０４において、モデムの組の部分組内の各モデムを、セルの副帯域またはビームのうちの少なくとも１つに割り当てることができる（図１３参照）。代替としてまたはさらに加えて、ステップ１５０４において、モデムの組の部分組内の各モデムには、少なくとも１つのリソース内の複数のインターレースのうちの１つのインターレースを割り当てることができる（図１４参照）。
【００２９】
[0078]  図１６は、セルの第２の例示的な方法のフローチャート１６００である。図１６において示されるように、ステップ１６０２において、セルは、ＲＲＣ接続状態にあるモデムの最初の組と通信する。ステップ１６０４において、セルは、セルのカバレッジ内のモデムの組を決定する。モデムの組は、複数の搬送波のうちの１つの搬送波と関連付けられる。セルは、１つの搬送波で動作する。モデムの組内の各モデムは、異なる航空機と関連付けられる。ステップ１６０６において、セルは、モデムの組を示す情報を（例えば、独立型エンティティまたはＭＭＥの一部であることができる接続管理エンティティに）送信する。ステップ１６０８において、セルは、送信された情報に応答してモデムの第２の組の割り当てを（例えば、接続管理エンティティから）受信する。割り当ては、セルがモデムの割り当てられた第２の組と通信するのを可能にする。ステップ１６０８において、セルは、モデムの第２の組内の各モデムと関連して使用するために副帯域、ビーム、またはリソースインターレースのうちの少なくとも１つを示す情報を受信することもできる。ステップ１６１０において、セルは、モデムの最初の組をモデムの割り当てられた第２の組と比較する。ステップ１６１２において、セルは、比較に基づいてモデムの最初の組またはモデムの割り当てられた第２の組のうちの少なくとも１つ内のモデムに関するＲＲＣ状態を決定する。ステップ１６１２において、セルは、モデムの最初の組およびモデムの割り当てられた第２の組の両方に含まれているモデムとＲＲＣ接続状態を維持することができる。ステップ１６１２において、セルは、モデムがモデムの割り当てられた第２の組に含まれ、モデムの最初の組に含まれていないときにＲＲＣアイドル状態からＲＲＣ接続状態に入るようにモデムにページングすることができる。ステップ１６１２において、セルは、モデムがモデムの最初の組に含まれ、モデムの割り当てられた第２の組に含まれていないときにＲＲＣ接続状態からＲＲＣアイドル状態に入るためにＲＲＣ接続を解除することができる。さらに、セルは、モデムがある特定の期間の間ＲＲＣアイドル状態からＲＲＣ接続状態に移行するのを試行するのを防止するためにモデムにおいてタイマを構成することができる。ステップ１６１４において、セルは、モデムの割り当てられた第２の組内のモデムと通信する。ステップ１６０８において、モデムの第２の組内の各モデムと関連して使用するために副帯域、ビーム、またはリソースインターレースのうちの少なくとも１つを示す情報をセルが受信した場合は、ステップ１６１４において、セルは、副帯域、ビーム、またはリソースインターレースのうちの少なくとも１つを示す情報に基づいてモデムの第２の組内の各モデムと通信することができる。
【００３０】
[0079]  図１７は、例示的な装置１７０２内の異なるモジュール／手段／コンポーネント間のデータの流れを例示した概念的なデータ流れ図１７００である。装置は、接続管理エンティティ（例えば、ＭＣ−ＣＭ９０２、１００２、１１０２）であることができる。装置は、特定のエリアのカバレッジ内のモデムの組を決定するように構成されるモデムカバレッジモジュール１７０６を含む。モデムの組内の各モデムは、特定の航空機および複数の搬送波のうちの１つの搬送波と関連付けられる。装置は、セル１７５０を含むセルの組の各セルにモデムの組の部分組を割り当てるように構成されるモデム割り当てモジュール１７０８をさらに含む。割り当ては、各セルがモデムの割り当てられた部分組と通信するのを可能にする。各セルは、複数の搬送波のうちの１つの異なる搬送波で動作する。
【００３１】
[0080]  モデムカバレッジモジュール１７０６は、特定のエリアのカバレッジ内のモデムの組が変わったと決定するように構成することができる。モデム割り当てモジュール１７０８は、特定のエリアのカバレッジ内のモデムの組が変わったと決定した時点で各セルにモデムの組の部分組を再度割り当てるように構成することができる。装置は、特定のエリアのカバレッジ内のモデムの第１の部分組を示す情報を受信するように構成される受信モジュール１７０４をさらに含むことができる。モデムカバレッジモジュール１７０６は、受信された情報に基づいて特定のエリアのカバレッジ内のモデムの第２の部分組の存在を推測するように構成することができる。モデムの決定された組は、モデムの第１の部分組と、モデムの第２の部分組と、を含むことができる。モデムカバレッジモジュール１７０６は、セルの組の１つ以上のセルにハンドオーバーされることになるモデムの第３の部分組を決定するように構成することができる。モデムの決定された組は、モデムの第３の部分組をさらに含むことができる。装置は、セル１７５０を含むセルに関する割り当てられたモデムを示す情報をセルに送信するように構成される通信モジュール１７１０をさらに含むことができる。モデム割り当てモジュール１７０８は、セルの副帯域またはビームのうちの少なくとも１つにモデムの組の部分組内の各モデムを割り当てるように構成することができる。モデム割り当てモジュール１７０８は、少なくとも１つのリソース内の複数のインターレースのうちの１つのインターレースをモデムの組の部分組内の各モデムに割り当てるように構成することができる。
【００３２】
[0081]  装置は、図１５の上記のフローチャート内のアルゴリズムの各々のステップを実行する追加のモジュールを含むことができる。従って、図１５の上記のフローチャート内の各ステップは、モジュールによって実行することができ、装置は、それらのモジュールのうちの１つ以上を含むことができる。モジュールは、記載されたプロセス／アルゴリズムを実行するように特に構成された１つ以上のハードウェアコンポーネント、記載されたプロセス／アルゴリズムを実行するように構成されたプロセッサによって実装された１つ以上のハードウェアコンポーネント、プロセッサによる実装のためにコンピュータ読み取り可能媒体内に格納された１つ以上のハードウェアコンポーネント、またはそれらの何らかの組み合わせであることができる。
【００３３】
[0082]  図１８は、処理システム１８１４を採用する装置１７０２’に関するハードウェア実装の例を示した概略図１８００である。処理システム１８１４は、概してバス１８２４によって代表されるバスアーキテクチャを用いて実装することができる。バス１８２４は、処理システム１８１４の特定の用途および全体的な設計上の制約事項に依存してあらゆる数の相互接続するバスおよびブリッジを含むことができる。バス１８２４は、プロセッサ１８０４、モジュール１７０４、１７０６、１７０８、および１７１０およびコンピュータ読み取り可能媒体／メモリ１８０６によって代表される１つ以上のプロセッサおよび／またはハードウェアモジュールを含む様々な回路をひとつにリンクする。バス１８２４は、当業においてよく知られており従ってそれ以上は説明されない様々なその他の回路、例えば、タイミングソース、周辺機器、電圧調整器、および電力管理回路、もリンクすることができる。
【００３４】
[0083]  処理システム１８１４は、トランシーバ１８１０に結合することができる。トランシーバ１８１０は、１つ以上のアンテナ１８２０に結合される。トランシーバ１８１０は、送信媒体を通じて様々なその他の装置と通信するための手段を提供する。トランシーバ１８１０は、１つ以上のアンテナ１８２０から信号を受信し、受信された信号から情報を抽出し、処理システム１８１４に抽出された情報を提供する。さらに、トランシーバ１８１０は、処理システム１８１４から情報を受信し、受信された情報に基づいて、１つ以上のアンテナ１８２０に印加されるべき信号を生成する。処理システム１８１４は、コンピュータ読み取り可能媒体／メモリ１８０６に結合されたプロセッサ１８０４を含む。プロセッサ１８０４は、コンピュータ読み取り可能媒体／メモリ１８０６に格納されたソフトウェアの実行を含む一般的な処理を担当する。ソフトウェアは、プロセッサ１８０４によって実行されたときに、特定の装置に関して上述される様々な機能を実施することを処理システム１８１４に行わせる。コンピュータ読み取り可能媒体／メモリ１８０６は、ソフトウェアを実行するときにプロセッサ１８０４によって取り扱われるデータを格納するために使用することもできる。処理システムは、モジュール１７０４、１７０６、１７０８、および１７１０のうちの少なくとも１つをさらに含む。モジュールは、プロセッサ１８０４において実行され、コンピュータ読み取り可能媒体／メモリ１８０６に常駐する／格納されたソフトウェアモジュール、プロセッサ１８０４に結合された１つ以上のハードウェアモジュール、またはそれらの何らかの組み合わせであることができる。
【００３５】
[0084]  一構成において、無線通信のための装置１７０２／１７０２’は、接続管理エンティティであることができ、および、特定のエリアのカバレッジ内のモデムの組を決定するための手段を含むことができる。モデムの組内の各モデムは、特定の航空機および複数の搬送波のうちの１つの搬送波と関連付けることができる。装置は、セルの組の各セルにモデムの組の部分組を割り当てるための手段をさらに含むことができる。割り当ては、各セルがモデムの割り当てられた部分組と通信するのを可能にすることができる。各セルは、複数の搬送波のうちの異なる搬送波で動作することができる。装置は、特定のエリアのカバレッジ内のモデムの組が変わったと決定するための手段と、特定のエリアのカバレッジ内のモデムの組が変わったと決定した時点で各セルにモデムの組の部分組を再度割り当てるための手段と、をさらに含むことができる。装置は、特定のエリアのカバレッジ内のモデムの第１の部分組を示す情報を受信するための手段と、受信された情報に基づいて特定のエリアのカバレッジ内のモデムの第２の組の存在を推測するための手段と、をさらに含むことができる。モデムの決定された組は、モデムの第１の部分組と、モデムの第２の部分組と、を含むことができる。装置は、セルの組の１つ以上のセルにハンドオーバーされることになるモデムの第３の部分組を決定するための手段をさらに含むことができる。モデムの決定された組は、モデムの第３の部分組をさらに含むことができる。上記の手段は、上記の手段によって示される機能を実行するように構成された装置１７０２の上記のモジュールおよび／または装置１７０２’の処理システム１８１４のうちの１つ以上であることができる。
【００３６】
[0085]  図１９は、例示的な装置１９０２内の異なるモジュール／手段／コンポーネント間のデータの流れを例示した概念的なデータ流れ図１９００である。装置は、セル（例えば、ｅＮＢまたはｅＮＢ内のセル）であることができる。セルは、受信モジュール１９０４の援助を受けてセルのカバレッジ内のモデムの組を決定するように構成されるモデム制御モジュール１９０６を含む。モデムの組は、複数の搬送波のうちの１つの搬送波と関連付けられる。セルは、１つの搬送波で動作する。モデムの組内の各モデムは、異なる航空機と関連付けられる。セルは、モデムの組を示す情報をＭＣ−ＣＭ１９６０に送信するように構成される送信／通信モジュール１９０８をさらに含む。受信モジュール１９０４は、送信された情報に応答してＭＣ−ＣＭ１９６０からモデムの第２の組の割り当てを受信するように構成される。モデムの第２の組は、航空機１９５０に搭載されたモデムを含む。割り当ては、セルがモデムの割り当てられた第２の組と通信するのを可能にする。
【００３７】
[0086]  送信／通信モジュール１９０８は、ＲＲＣ接続状態のモデムの最初の組と通信するようにさらに構成することができる。モデム制御モジュール１９０６は、モデムの最初の組をモデムの割り当てられた第２の組と比較するように、および、比較に基づいてモデムの第１の組またはモデムの割り当てられた第２の組のうちの少なくとも１つ内のモデムに関するＲＲＣ状態を決定するように構成することができる。モデム制御モジュール１９０６は、モデムの最初の組およびモデムの割り当てられた第２の組の両方に含まれるモデムとＲＲＣ接続状態を維持するように構成することができる。モデム制御モジュール１９０６は、モデムがモデムの割り当てられた第２の組に含まれ、モデムの最初の組に含まれていないときにＲＲＣアイドル状態からＲＲＣ接続状態に入るようにモデムにページングするように構成することができる。モデム制御モジュール１９０６は、モデムがモデムの最初の組に含まれ、モデムの割り当てられた第２の組に含まれていないときにＲＲＣ接続状態からＲＲＣアイドル状態に入るためにモデムとのＲＲＣ接続を解除するように構成することができる。モデム制御モジュール１９０６は、モデムが特定の期間の間ＲＲＣアイドル状態からＲＲＣ接続状態に移行するのを試行するのを防止するためにモデムにおいてタイマを構成することができる。受信モジュール１９０４は、モデムの第２の組内の各モデムと関連して使用するために副帯域、ビーム、またはリソースインターレースのうちの少なくとも１つを示す情報をＭＣ−ＣＭ１９６０から受信するように構成することができる。送信／通信モジュール１９０８は、副帯域、ビーム、またはリソースインターレースのうちの少なくとも１つを示す情報に基づいてモデムの第２の組内の各モデムと通信するように構成することができる。
【００３８】
[0087]   装置は、図１６の上記のフローチャート内のアルゴリズムのステップのうちの各々を実行する追加のモジュールを含むことができる。従って、図１６の上記のフローチャート内の各ステップは、モジュールによって実行することができ、装置は、それらのモジュールのうちの１つ以上を含むことができる。モジュールは、記載されたプロセス／アルゴリズムを実行するように特に構成された１つ以上のハードウェアコンポーネント、記載されたプロセス／アルゴリズムを実行するように構成されたプロセッサによって実装された１つ以上のハードウェアコンポーネント、プロセッサによる実装のためにコンピュータ読み取り可能媒体内に格納された１つ以上のハードウェアコンポーネント、または、それらの何らかの組み合わせであることができる。
【００３９】
[0088]  図２０は、処理システム２０１４を採用する装置１９０２’に関するハードウェア実装の例を示した概略図２０００である。処理システム２０１４は、概してバス２０２４によって代表されるバスアーキテクチャを用いて実装することができる。バス２０２４は、処理システム２０１４の特定の用途および全体的な設計上の制約事項に依存してあらゆる数の相互接続するバスおよびブリッジを含むことができる。バス２０２４は、プロセッサ２００４、モジュール１９０４、１９０６、１９０８、およびコンピュータ読み取り可能媒体／メモリ２００６によって代表される１つ以上のプロセッサおよび／またはハードウェアモジュールを含む様々な回路をひとつにリンクする。バス２０２４は、当業においてよく知られており従ってそれ以上は説明されない様々なその他の回路、例えば、タイミングソース、周辺機器、電圧調整器、および電力管理回路、もリンクすることができる。
【００４０】
[0089]  処理システム２０１４は、トランシーバ２０１０に結合することができる。トランシーバ２０１０は、１つ以上のアンテナ２０２０に結合される。トランシーバ２０１０は、送信媒体を通じて様々なその他の装置と通信するための手段を提供する。トランシーバ２０１０は、１つ以上のアンテナ２０２０から信号を受信し、受信された信号から情報を抽出し、処理システム１８１４に抽出された情報を提供する。さらに、トランシーバ２０１０は、処理システム２０１４から情報を受信し、受信された情報に基づいて、１つ以上のアンテナ２０２０に印加されるべき信号を生成する。処理システム２０１４は、コンピュータ読み取り可能媒体／メモリ２００６に結合されたプロセッサ２００４を含む。プロセッサ２００４は、コンピュータ読み取り可能媒体／メモリ１８０６に格納されたソフトウェアの実行を含む一般的な処理を担当する。ソフトウェアは、プロセッサ２０１４によって実行されたときに、特定の装置に関して上述される様々な機能を実施することを処理システム２０１４に行わせる。コンピュータ読み取り可能媒体／メモリ２００６は、ソフトウェアを実行するときにプロセッサ２００４によって取り扱われるデータを格納するために使用することもできる。処理システムは、モジュール１９０４、１９０６、および１９０８のうちの少なくとも１つをさらに含む。モジュールは、プロセッサ２００４において実行され、コンピュータ読み取り可能媒体／メモリ２００６に常駐する／格納されたソフトウェアモジュール、プロセッサ２００４に結合された１つ以上のハードウェアモジュール、またはそれらの何らかの組み合わせであることができる。処理システム２０１４は、ｅＮＢ６１０のコンポーネントであることができ、および、メモリ６７６および／またはＴＸプロセッサ６１６、ＲＸプロセッサ６７０、およびコントローラ／プロセッサ６７５のうちの少なくとも１つを含むことができる。
【００４１】
[0090]  一構成において、無線通信のための装置１９０２／１９０２’は、セルであり、および、セルのカバレッジ内のモデムの組を決定するための手段を含む。モデムの組は、複数の搬送波のうちの１つの搬送波と関連付けられる。セルは、１つの搬送波で動作する。モデムの組内の各モデムは、異なる航空機と関連付けられる。セルは、モデムの組を示す情報を送信するための手段をさらに含む。セルは、送信された情報に応答してモデムの第２の組の割り当てを受信するための手段をさらに含む。割り当ては、セルがモデムの割り当てられた第２の組と通信するのを可能にする。セルは、ＲＲＣ接続状態にあるモデムの最初の組と通信するための手段と、モデムの最初の組をモデムの割り当てられた第２の組と比較するための手段と、比較に基づいてモデムの最初の組またはモデムの割り当てられた第２の組のうちの少なくとも１つ内のモデムに関するＲＲＣ状態を決定するための手段と、をさらに含むことができる。セルは、モデムの最初の組およびモデムの割り当てられた第２の組の両方に含まれているモデムとＲＲＣ接続状態を維持するための手段をさらに含むことができる。セルは、モデムがモデムの割り当てられた第２の組に含まれ、モデムの最初の組に含まれていないときにＲＲＣアイドル状態からＲＲＣ接続状態に入るようにモデムにページングすることができる。セルは、モデムが特定の期間の間ＲＲＣアイドル状態からＲＲＣ接続状態に移行するのを試行するのを防止するためにモデムにおいてタイマを構成するための手段をさらに含むことができる。セルは、モデムの第２の組内の各モデムと関連して使用するために副帯域、ビーム、またはリソースインターレースのうちの少なくとも１つを示す情報を受信するための手段をさらに含むことができる。セルは、副帯域、ビーム、またはリソースインターレースのうちの少なくとも１つを示す情報に基づいてモデムの第２の組内の各モデムと通信するための手段をさらに含むことができる。上記の手段は、上記の手段によって示される機能を実行するように構成された装置１９０２の上記のモジュールおよび／または装置１９０２’の処理システム２０１４のうちの１つ以上であることができる。上述されるように、処理システム２０１４は、ＴＸプロセッサ６１６と、ＲＸプロセッサ６７０と、コントローラ／プロセッサ６７５と、を含むことができる。従って、一構成において、上記の手段は、上記の手段によって示される機能を実行するように構成されたプロセッサ６１６、ＲＸプロセッサ６７０、およびコントローラ／プロセッサ６７５であることができる。
【００４２】
[0091]  開示されるプロセス／フローチャートにおけるステップの特定の順序又は階層は、例示的なアプローチ法を示したものであることが理解される。設計上の選好に基づき、プロセス／フローチャートにおけるステップの特定の順序又は階層は再編可能であることが理解される。さらに、幾つかのステップは、結合することまたは省略することができる。添付される方法請求項は、様々なステップの要素を見本の順序で提示するものであり、提示される特定の順序又は階層に限定されることは意味されない。
[0092]  前の説明は、当業者がここにおいて説明される様々な態様を実施するのを可能にするために提供される。これらの態様に対する様々な変更は、当業者にとって容易に明確になるであろう、およびここにおいて定められる一般原理は、その他の態様に対して適用することができる。以上のように、請求項は、ここにおいて示される態様に限定されることが意図されるものではなく、文言請求項（ｌａｎｇｕａｇｅ  ｃｌａｉｍ）に一致する限りにおいて最も広範な適用範囲が認められるべきであり、ここにおいて、単数形の要素への言及は、特記がない限り“１つ及び１つのみ”を意味することは意図されておらず、むしろ“１つ以上を”意味する。用語“例示的な”は、“１つの例、事例、又は実例を提供すること”を意味するためにここにおいて使用される。ここにおいて“例示的な”として説明されるいずれの態様も、その他の態様よりも好ましい又は有利であると解釈されるべきではない。その他の特記がない限り、表現“幾つか”は、１つ以上を意味する。“Ａ、Ｂ、またはＣのうちの少なくとも１つ”、“Ａ、Ｂ、およびＣのうちの少なくとも１つ”、および“Ａ、Ｂ、Ｃ、またはそれらのいずれかの組み合わせ”、等の組み合わせは、Ａ、Ｂ、および／またはＣのあらゆる組み合わせを含み、および、Ａの倍数、Ｂの倍数、またはＣの倍数を含むことができる。具体的には、“Ａ、Ｂ、またはＣのうちの少なくとも１つ”、“Ａ、Ｂ、およびＣのうちの少なくとも１つ”、および“Ａ、Ｂ、Ｃ、またはそれらのいずれかの組み合わせ”、等の組み合わせは、Ａのみ、Ｂのみ、Ｃのみ、ＡとＢ、ＡとＣ、ＢとＣ、またはＡとＢとＣであることができ、該組み合わせは、Ａ、Ｂ、またはＣのうちの１つ以上のメンバーを含むことができる。当業者に知られているまたはのちに知られることになる、本開示全体を通じて説明される様々な態様の要素のすべての構造上及び機能上の同等物は、ここにおける引用によって明示でここに組み入れられており、請求項によって包含されることが意図される。さらに、ここにおいて開示されるいずれも、該開示が請求項において明示で記載されているかどうかにかかわらず、公衆に提供されたものではないことが意図される。いずれの請求項要素も、その要素が句“ための手段”を用いて明示で記述されていない限り、手段プラス機能（ｍｅａｎｓ  ｐｌｕｓ  ｆｕｎｃｔｉｏｎ）であるとは解釈されるべきではない。  
【図１】
2017505567.tif 000003
【図２】
2017505567.tif 000004
【図３】
2017505567.tif 000005
【図４】
2017505567.tif 000006
【図５】
2017505567.tif 000007
【図６】
2017505567.tif 000008
【図７Ａ】
2017505567.tif 000009
【図７Ｂ】
2017505567.tif 000010
【図８】
2017505567.tif 000011
【図９】
2017505567.tif 000012
【図１０】
2017505567.tif 000013
【図１１】
2017505567.tif 000014
【図１２】
2017505567.tif 000015
【図１３】
2017505567.tif 000016
【図１４】
2017505567.tif 000017
【図１５】
2017505567.tif 000018
【図１６】
2017505567.tif 000019
【図１７】
2017505567.tif 000020
【図１８】
2017505567.tif 000021
【図１９】
2017505567.tif 000022
【図２０】
2017505567.tif 000023
【手続補正書】
【提出日】平成28年8月25日(2016.8.25)
【手続補正１】
【補正対象書類名】特許請求の範囲
【補正対象項目名】全文
【補正方法】変更
【補正の内容】
【特許請求の範囲】
【請求項１】
接続管理エンティティの方法であって、
複数の搬送波のうちの１つの搬送波で動作するセルのカバレッジ内のモデムの組を決定することであって、モデムの前記組内の各モデムは、異なる航空機および前記１つの搬送波と関連付けられることと、
前記セルにモデムの前記組の部分組を割り当てることであって、前記割り当ては、前記セルがモデムの前記割り当てられた部分組と通信するのを可能にすることと、を備える、方法。
【請求項２】
前記セルのカバレッジ内のモデムの前記組が変わったと決定することと、
前記セルのカバレッジ内のモデムの前記組が変わったと決定した時点で前記セルにモデムの前記組の前記部分組を再度割り当てることと、をさらに備える、
請求項１に記載の方法。
【請求項３】
前記セルのカバレッジ内のモデムの第１の部分組を示す情報を受信することと、
前記受信された情報に基づいて前記セルのカバレッジ内のモデムの第２の部分組の存在を推測することと、をさらに備え、
モデムの前記決定された組は、モデムの前記第１の部分組と、モデムの前記第２の部分組と、を含む、
請求項１に記載の方法。
【請求項４】
１つ以上のセルにハンドオーバーされることになるモデムの第３の部分組を決定することをさらに備え、モデムの前記決定された組は、モデムの前記第３の部分組をさらに含む、
請求項３に記載の方法。
【請求項５】
モデムの前記組の前記部分組内の各モデムは、前記セルの副帯域またはビームのうちの少なくとも１つに割り当てられる、
請求項１に記載の方法。
【請求項６】
モデムの前記組の前記部分組内の各モデムには少なくとも１つのリソース内の複数のインターレースのうちの１つのインターレースが割り当てられる請求項１に記載の方法。
【請求項７】
セルの無線通信方法であって、
前記セルのカバレッジ内のモデムの組を決定することであって、モデムの前記組は、複数の搬送波のうちの１つの搬送波と関連付けられ、前記セルは、前記１つの搬送波で動作し、モデムの前記組内の各モデムは、異なる航空機と関連付けられることと、
モデムの前記組を示す情報を送信することと、
前記送信された情報に応答してモデムの前記組の部分組の割り当てを受信することであって、前記割り当ては、前記セルがモデムの前記割り当てられた第２の組と通信するのを可能にすることと、を備える、方法。
【請求項８】
無線リソース制御（ＲＲＣ）接続状態にあるモデムの最初の組と通信することと、
モデムの前記最初の組をモデムの前記割り当てられた第２の組と比較することと、
前記比較に基づいてモデムの前記最初の組またはモデムの前記割り当てられた第２の組のうちの少なくとも１つ内のモデムに関するＲＲＣ状態を決定することと、をさらに備える、
請求項７に記載の方法。
【請求項９】
モデムの前記最初の組およびモデムの前記割り当てられた第２の組の両方に含まれるモデムと前記ＲＲＣ接続状態を維持することをさらに備える、
請求項８に記載の方法。
【請求項１０】
モデムがモデムの前記割り当てられた第２の組に含まれ、モデムの前記最初の組に含まれていないときにＲＲＣアイドル状態から前記ＲＲＣ接続状態に入るように前記モデムにページングすることをさらに備える、
請求項８に記載の方法。
【請求項１１】
モデムがモデムの前記最初の組に含まれ、モデムの前記割り当てられた第２の組に含まれていないときに前記ＲＲＣ接続状態からＲＲＣアイドル状態に入るために前記モデムとのＲＲＣ接続を解除することをさらに備える、
請求項８に記載の方法。
【請求項１２】
前記モデムが特定の期間の間前記ＲＲＣアイドル状態から前記ＲＲＣ接続状態に移行するのを試行するのを防止するために前記モデムにおいてタイマを構成することをさらに備える、
請求項１１に記載の方法。
【請求項１３】
モデムの前記第２の組内の各モデムに関連して使用するための副帯域、ビーム、またはリソースインターレースのうちの少なくとも１つを示す情報を受信することをさらに備える、
請求項７に記載の方法。
【請求項１４】
前記副帯域、前記ビーム、または前記リソースインターレースのうちの前記少なくとも１つを示す前記情報に基づいてモデムの前記第２の組内の各モデムと通信することをさらに備える、
請求項１３に記載の方法。
【請求項１５】
接続管理エンティティ装置であって、
複数の搬送波のうちの１つの搬送波で動作するセルのカバレッジ内のモデムの組を決定するための手段であって、モデムの前記組内の各モデムは、異なる航空機および前記１つの搬送波と関連付けられる手段と、
前記セルにモデムの前記組の部分組を割り当てるための手段であって、前記割り当ては、各セルがモデムの前記割り当てられた部分組と通信するのを可能にする手段と、を備える、装置。
【請求項１６】
前記セルのカバレッジ内のモデムの前記組が変わったと決定するための手段と、
前記セルのカバレッジ内のモデムの前記組が変わったと決定した時点で前記セルにモデムの前記組の前記部分組を再度割り当てるための手段と、をさらに備える、
請求項１５に記載の装置。
【請求項１７】
前記セルのカバレッジ内のモデムの第１の部分組を示す情報を受信するための手段と、
前記受信された情報に基づいて前記セルのカバレッジ内のモデムの第２の部分組の存在を推測するための手段と、をさらに備え、
モデムの前記決定された組は、モデムの前記第１の部分組と、モデムの前記第２の部分組と、を含む、
請求項１５に記載の装置。
【請求項１８】
１つ以上のセルにハンドオーバーされることになるモデムの第３の部分組を決定するための手段をさらに備え、モデムの前記決定された組は、モデムの前記第３の部分組をさらに含む、
請求項１７に記載の装置。
【請求項１９】
モデムの前記組の前記部分組内の各モデムは、前記セルの副帯域またはビームのうちの少なくとも１つに割り当てられる、
請求項１５に記載の装置。
【請求項２０】
モデムの前記組の前記部分組内の各モデムには少なくとも１つのリソース内の複数のインターレースのうちの１つのインターレースが割り当てられる、
請求項１５に記載の装置。
【請求項２１】
無線通信のための装置であって、前記装置はセルであり、
前記セルのカバレッジ内のモデムの組を決定するための手段であって、モデムの前記組は、複数の搬送波のうちの１つの搬送波と関連付けられ、前記セルは、前記１つの搬送波で動作し、モデムの前記組内の各モデムは、異なる航空機と関連付けられる手段と、
モデムの前記組を示す情報を送信するための手段と、
前記送信された情報に応答してモデムの前記組の部分組の割り当てを受信するための手段であって、前記割り当ては、前記セルがモデムの前記割り当てられた第２の組と通信するのを可能にする手段と、を備える、装置。
【請求項２２】
無線リソース制御（ＲＲＣ）接続状態にあるモデムの最初の組と通信するための手段と、
モデムの前記最初の組をモデムの前記割り当てられた第２の組と比較するための手段と、
前記比較に基づいてモデムの前記最初の組またはモデムの前記割り当てられた第２の組のうちの少なくとも１つ内のモデムに関するＲＲＣ状態を決定するための手段と、をさらに備える、
請求項２１に記載の装置。
【請求項２３】
モデムの前記最初の組およびモデムの前記割り当てられた第２の組の両方に含まれるモデムと前記ＲＲＣ接続状態を維持するための手段をさらに備える、
請求項２２に記載の装置。
【請求項２４】
モデムがモデムの前記割り当てられた第２の組に含まれ、モデムの前記最初の組に含まれていないときにＲＲＣアイドル状態から前記ＲＲＣ接続状態に入るように前記モデムにページングするための手段をさらに備える、
請求項２２に記載の装置。
【請求項２５】
モデムがモデムの前記最初の組に含まれ、モデムの前記割り当てられた第２の組に含まれていないときに前記ＲＲＣ接続状態からＲＲＣアイドル状態に入るために前記モデムとのＲＲＣ接続を解除するための手段をさらに備える、
請求項２２に記載の装置。
【請求項２６】
前記モデムが特定の期間の間前記ＲＲＣアイドル状態から前記ＲＲＣ接続状態に移行するのを試行するのを防止するために前記モデムにおいてタイマを構成するための手段をさらに備える、
請求項２５に記載の装置。
【請求項２７】
モデムの前記第２の組内の各モデムに関連して使用するための副帯域、ビーム、またはリソースインターレースのうちの少なくとも１つを示す情報を受信するための手段をさらに備える、
請求項２１に記載の装置。
【請求項２８】
前記副帯域、前記ビーム、または前記リソースインターレースのうちの前記少なくとも１つを示す前記情報に基づいてモデムの前記第２の組内の各モデムと通信するための手段をさらに備える、
請求項２７に記載の装置。
【請求項２９】
接続管理エンティティ装置であって、
メモリと、
前記メモリに結合され、
複数の搬送波のうちの１つの搬送波で動作するセルのカバレッジ内のモデムの組を決定するよう構成され、モデムの前記組内の各モデムは、異なる航空機および前記１つの搬送波と関連付けられ、および
前記セルにモデムの前記組の部分組を割り当てるように構成され、前記割り当ては、前記セルがモデムの前記割り当てられた部分組と通信するのを可能にする、少なくとも１つのプロセッサと、を備える、装置。
【請求項３０】
前記少なくとも１つのプロセッサは、
前記セルのカバレッジ内のモデムの前記組が変わったと決定し、および
前記セルのカバレッジ内のモデムの前記組が変わったと決定した時点で前記セルにモデムの前記組の前記部分組を再度割り当てるようにさらに構成される、
請求項２９に記載の装置。
【請求項３１】
前記少なくとも１つのプロセッサは、
前記セルのカバレッジ内のモデムの第１の部分組を示す情報を受信し、および
前記受信された情報に基づいて前記セルのカバレッジ内のモデムの第２の部分組の存在を推測するようにさらに構成され、
モデムの前記決定された組は、モデムの前記第１の部分組と、モデムの前記第２の部分組と、を含む、
請求項２９に記載の装置。
【請求項３２】
前記少なくとも１つのプロセッサは、１つ以上のセルにハンドオーバーされることになるモデムの第３の部分組を決定するようにさらに構成され、モデムの前記決定された組は、モデムの前記第３の部分組をさらに含む、
請求項３１に記載の装置。
【請求項３３】
モデムの前記組の前記部分組内の各モデムは、前記セルの副帯域またはビームのうちの少なくとも１つに割り当てられる、
請求項２９に記載の装置。
【請求項３４】
モデムの前記組の前記部分組内の各モデムには少なくとも１つのリソース内の複数のインターレースのうちの１つのインターレースが割り当てられる、
請求項２９に記載の装置。
【請求項３５】
無線通信のための装置であって、前記装置はセルであり、
メモリと、
前記メモリに結合され、
前記セルのカバレッジ内のモデムの組を決定するように構成され、モデムの前記組は、複数の搬送波のうちの１つの搬送波と関連付けられ、前記セルは、前記１つの搬送波で動作し、モデムの前記組内の各モデムは、異なる航空機と関連付けられ、
モデムの前記組を示す情報を送信するように構成され、および
前記送信された情報に応答してモデムの前記組の部分組の割り当てを受信するように構成され、前記割り当ては、前記セルがモデムの前記割り当てられた第２の組と通信するのを可能にする、少なくとも１つのプロセッサと、を備える、装置。
【請求項３６】
前記少なくとも１つのプロセッサは、
無線リソース制御（ＲＲＣ）接続状態にあるモデムの最初の組と通信し、
モデムの前記最初の組をモデムの前記割り当てられた第２の組と比較し、および
前記比較に基づいてモデムの前記最初の組またはモデムの前記割り当てられた第２の組のうちの少なくとも１つ内のモデムに関するＲＲＣ状態を決定するようにさらに構成される、
請求項３５に記載の装置。
【請求項３７】
前記少なくとも１つのプロセッサは、モデムの前記最初の組およびモデムの前記割り当てられた第２の組の両方に含まれるモデムと前記ＲＲＣ接続状態を維持するようにさらに構成される、
請求項３６に記載の装置。
【請求項３８】
前記少なくとも１つのプロセッサは、モデムがモデムの前記割り当てられた第２の組に含まれ、モデムの前記最初の組に含まれていないときにＲＲＣアイドル状態から前記ＲＲＣ接続状態に入るように前記モデムにページングするようにさらに構成される、
請求項３６に記載の装置。
【請求項３９】
前記少なくとも１つのプロセッサは、モデムがモデムの前記最初の組に含まれ、モデムの前記割り当てられた第２の組に含まれていないときに前記ＲＲＣ接続状態からＲＲＣアイドル状態に入るために前記モデムとのＲＲＣ接続を解除するようにさらに構成される、
請求項３６に記載の装置。
【請求項４０】
前記少なくとも１つのプロセッサは、前記モデムが特定の期間の間前記ＲＲＣアイドル状態から前記ＲＲＣ接続状態に移行するのを試行するのを防止するために前記モデムにおいてタイマを構成するようにさらに構成される、
請求項３９に記載の装置。
【請求項４１】
前記少なくとも１つのプロセッサは、モデムの前記第２の組内の各モデムに関連して使用するための副帯域、ビーム、またはリソースインターレースのうちの少なくとも１つを示す情報を受信するようにさらに構成される、
請求項３５に記載の装置。
【請求項４２】
前記少なくとも１つのプロセッサは、前記副帯域、前記ビーム、または前記リソースインターレースのうちの前記少なくとも１つを示す前記情報に基づいてモデムの前記第２の組内の各モデムと通信するようにさらに構成される、
請求項４１に記載の装置。
【請求項４３】
コンピュータ読み取り可能媒体であって、少なくとも１つのプロセッサで実行されたときに、
複数の搬送波のうちの１つの搬送波で動作するセルのカバレッジ内のモデムの組を決定するステップであって、モデムの前記組内の各モデムは、異なる航空機および前記１つの搬送波と関連付けられるステップ、および
前記セルにモデムの前記組の部分組を割り当てるステップであって、前記割り当ては、前記セルがモデムの前記割り当てられた部分組と通信するのを可能にするステップ、を実行するコンピュータ実行可能コードを記憶した、コンピュータ読み取り可能媒体。
【請求項４４】
コンピュータ読み取り可能媒体であって、少なくとも１つのプロセッサで実行されたときに、
セルのカバレッジ内のモデムの組を決定するステップであって、モデムの前記組は、複数の搬送波のうちの１つの搬送波と関連付けられ、前記セルは、前記１つの搬送波で動作し、モデムの前記組内の各モデムは、異なる航空機と関連付けられるステップ、
モデムの前記組を示す情報を送信するステップ、および
前記送信された情報に応答してモデムの前記組の部分組の割り当てを受信するステップであって、前記割り当ては、前記セルがモデムの前記割り当てられた第２の組と通信するのを可能にするステップ、を実行するコンピュータ実行可能コードを記憶した、コンピュータ読み取り可能媒体。
【手続補正２】
【補正対象書類名】明細書
【補正対象項目名】００４２
【補正方法】変更
【補正の内容】
【００４２】
[0091]  開示されるプロセス／フローチャートにおけるステップの特定の順序又は階層は、例示的なアプローチ法を示したものであることが理解される。設計上の選好に基づき、プロセス／フローチャートにおけるステップの特定の順序又は階層は再編可能であることが理解される。さらに、幾つかのステップは、結合することまたは省略することができる。添付される方法請求項は、様々なステップの要素を見本の順序で提示するものであり、提示される特定の順序又は階層に限定されることは意味されない。
[0092]  前の説明は、当業者がここにおいて説明される様々な態様を実施するのを可能にするために提供される。これらの態様に対する様々な変更は、当業者にとって容易に明確になるであろう、およびここにおいて定められる一般原理は、その他の態様に対して適用することができる。以上のように、請求項は、ここにおいて示される態様に限定されることが意図されるものではなく、文言請求項（ｌａｎｇｕａｇｅ  ｃｌａｉｍ）に一致する限りにおいて最も広範な適用範囲が認められるべきであり、ここにおいて、単数形の要素への言及は、特記がない限り“１つ及び１つのみ”を意味することは意図されておらず、むしろ“１つ以上を”意味する。用語“例示的な”は、“１つの例、事例、又は実例を提供すること”を意味するためにここにおいて使用される。ここにおいて“例示的な”として説明されるいずれの態様も、その他の態様よりも好ましい又は有利であると解釈されるべきではない。その他の特記がない限り、表現“幾つか”は、１つ以上を意味する。 “Ａ、Ｂ、またはＣのうちの少なくとも１つ”、“Ａ、Ｂ、およびＣのうちの少なくとも１つ”、および“Ａ、Ｂ、Ｃ、またはそれらのいずれかの組み合わせ”、等の組み合わせは、Ａ、Ｂ、および／またはＣのあらゆる組み合わせを含み、および、Ａの倍数、Ｂの倍数、またはＣの倍数を含むことができる。具体的には、“Ａ、Ｂ、またはＣのうちの少なくとも１つ”、“Ａ、Ｂ、およびＣのうちの少なくとも１つ”、および“Ａ、Ｂ、Ｃ、またはそれらのいずれかの組み合わせ”、等の組み合わせは、Ａのみ、Ｂのみ、Ｃのみ、ＡとＢ、ＡとＣ、ＢとＣ、またはＡとＢとＣであることができ、該組み合わせは、Ａ、Ｂ、またはＣのうちの１つ以上のメンバーを含むことができる。当業者に知られているまたはのちに知られることになる、本開示全体を通じて説明される様々な態様の要素のすべての構造上及び機能上の同等物は、ここにおける引用によって明示でここに組み入れられており、請求項によって包含されることが意図される。さらに、ここにおいて開示されるいずれも、該開示が請求項において明示で記載されているかどうかにかかわらず、公衆に提供されたものではないことが意図される。いずれの請求項要素も、その要素が句“ための手段”を用いて明示で記述されていない限り、手段プラス機能（ｍｅａｎｓ  ｐｌｕｓ  ｆｕｎｃｔｉｏｎ）であるとは解釈されるべきではない。  
以下に本願発明の当初の特許請求の範囲に記載された発明を付記する。
［Ｃ１］
接続管理エンティティの方法であって、
特定のエリアのカバレッジ内のモデムの組を決定することであって、モデムの前記組内の各モデムは、特定の航空機および複数の搬送波のうちの１つの搬送波と関連付けられることと、
セルの組の各セルにモデムの前記組の部分組を割り当てることであって、前記割り当ては、各セルがモデムの前記割り当てられた部分組と通信するのを可能にし、各セルは、前記複数の搬送波のうちの異なる搬送波で動作することと、を備える、方法。
［Ｃ２］
前記特定のエリアのカバレッジ内のモデムの前記組が変わったと決定することと、
前記特定のエリアのカバレッジ内のモデムの前記組が変わったと決定した時点で各セルにモデムの前記組の前記部分組を再度割り当てることと、をさらに備える、
Ｃ１に記載の方法。
［Ｃ３］
前記特定のエリアのカバレッジ内のモデムの第１の部分組を示す情報を受信することと、
前記受信された情報に基づいて前記特定のエリアのカバレッジ内のモデムの第２の部分組の前記存在を推測することと、をさらに備え、
モデムの前記決定された組は、モデムの前記第１の部分組と、モデムの前記第２の部分組と、を含む、
Ｃ１に記載の方法。
［Ｃ４］
セルの前記組の１つ以上のセルにハンドオーバーされることになるモデムの第３の部分組を決定することをさらに備え、モデムの前記決定された組は、モデムの前記第３の部分組をさらに含む、
Ｃ３に記載の方法。
［Ｃ５］
モデムの前記組の前記部分組内の各モデムは、前記セルの副帯域またはビームのうちの少なくとも１つに割り当てられる、
Ｃ１に記載の方法。
［Ｃ６］
モデムの前記組の前記部分組内の各モデムには少なくとも１つのリソース内の複数のインターレースのうちのインターレースが割り当てられるＣ１に記載の方法。
［Ｃ７］
セルの無線通信方法であって、
前記セルのカバレッジ内のモデムの組を決定することであって、モデムの前記組は、複数の搬送波のうちの１つの搬送波と関連付けられ、前記セルは、前記１つの搬送波で動作し、モデムの前記組内の各モデムは、異なる航空機と関連付けられることと、
モデムの前記組を示す情報を送信することと、
前記送信された情報に応答してモデムの第２の組の割り当てを受信することであって、前記割り当ては、前記セルがモデムの前記割り当てられた第２の組と通信するのを可能にすることと、を備える、方法。
［Ｃ８］
無線リソース制御（ＲＲＣ）接続状態にあるモデムの最初の組と通信することと、
モデムの前記最初の組をモデムの前記割り当てられた第２の組と比較することと、
前記比較に基づいてモデムの前記最初の組またはモデムの前記割り当てられた第２の組のうちの少なくとも１つ内のモデムに関するＲＲＣ状態を決定することと、をさらに備える、
Ｃ７に記載の方法。
［Ｃ９］
モデムの前記組およびモデムの前記割り当てられた第２の組の両方に含まれるモデムと前記ＲＲＣ接続状態を維持することをさらに備える、
Ｃ８に記載の方法。
［Ｃ１０］
モデムがモデムの前記割り当てられた第２の組に含まれ、モデムの前記最初の組に含まれていないときにＲＲＣアイドル状態から前記ＲＲＣ接続状態に入るように前記モデムにページングすることをさらに備える、
Ｃ８に記載の方法。
［Ｃ１１］
モデムがモデムの前記最初の組に含まれ、モデムの前記割り当てられた第２の組に含まれていないときに前記ＲＲＣ接続状態からアイドル状態に入るために前記モデムとのＲＲＣ接続を解除することをさらに備える、
Ｃ８に記載の方法。
［Ｃ１２］
前記モデムが特定の期間の間前記ＲＲＣアイドル状態から前記ＲＲＣ接続状態に移行するのを試行するのを防止するために前記モデムにおいてタイマを構成することをさらに備える、
Ｃ１１に記載の方法。
［Ｃ１３］
モデムの前記第２の組内の各モデムに関連して使用するために副帯域、ビーム、またはリソースインターレースのうちの少なくとも１つを示す情報を受信することをさらに備える、
Ｃ７に記載の方法。
［Ｃ１４］
前記副帯域、前記ビーム、または前記リソースインターレースのうちの前記少なくとも１つを示す前記情報に基づいてモデムの前記第２の組内の各モデムと通信することをさらに備える、
Ｃ１３に記載の方法。
［Ｃ１５］
接続管理エンティティ装置であって、
特定のエリアのカバレッジ内のモデムの組を決定するための手段であって、モデムの前記組内の各モデムは、特定の航空機および複数の搬送波のうちの１つの搬送波と関連付けられる手段と、
セルの組の各セルにモデムの前記組の部分組を割り当てるための手段であって、前記割り当ては、各セルがモデムの前記割り当てられた部分組と通信するのを可能にし、各セルは、前記複数の搬送波のうちの異なる搬送波で動作する手段と、を備える、装置。
［Ｃ１６］
前記特定のエリアのカバレッジ内のモデムの前記組が変わったと決定するための手段と、
前記特定のエリアのカバレッジ内のモデムの前記組が変わったと決定した時点で各セルにモデムの前記組の前記部分組を再度割り当てるための手段と、をさらに備える、
Ｃ１５に記載の装置。
［Ｃ１７］
前記特定のエリアのカバレッジ内のモデムの第１の部分組を示す情報を受信するための手段と、
前記受信された情報に基づいて前記特定のエリアのカバレッジ内のモデムの第２の部分組の前記存在を推測するための手段と、をさらに備え、
モデムの前記決定された組は、モデムの前記第１の部分組と、モデムの前記第２の部分組と、を含む、
Ｃ１５に記載の装置。
［Ｃ１８］
セルの前記組の１つ以上のセルにハンドオーバーされることになるモデムの第３の部分組を決定するための手段をさらに備え、モデムの前記決定された組は、モデムの前記第３の部分組をさらに含む、
Ｃ１７に記載の装置。
［Ｃ１９］
モデムの前記組の前記部分組内の各モデムは、前記セルの副帯域またはビームのうちの少なくとも１つに割り当てられる、
Ｃ１５に記載の装置。
［Ｃ２０］
モデムの前記組の前記部分組内の各モデムには少なくとも１つのリソース内の複数のインターレースのうちのインターレースが割り当てられる、
Ｃ１５に記載の装置。
［Ｃ２１］
無線通信のための装置であって、前記装置はセルであり、
前記セルのカバレッジ内のモデムの組を決定するための手段であって、モデムの前記組は、複数の搬送波のうちの１つの搬送波と関連付けられ、前記セルは、前記１つの搬送波で動作し、モデムの前記組内の各モデムは、異なる航空機と関連付けられる手段と、
モデムの前記組を示す情報を送信するための手段と、
前記送信された情報に応答してモデムの第２の組の割り当てを受信するための手段であって、前記割り当ては、前記セルがモデムの前記割り当てられた第２の組と通信するのを可能にする手段と、を備える、装置。
［Ｃ２２］
無線リソース制御（ＲＲＣ）接続状態にあるモデムの最初の組と通信するための手段と、
モデムの前記最初の組をモデムの前記割り当てられた第２の組と比較するための手段と、
前記比較に基づいてモデムの前記最初の組またはモデムの前記割り当てられた第２の組のうちの少なくとも１つ内のモデムに関するＲＲＣ状態を決定するための手段と、をさらに備える、
Ｃ２１に記載の装置。
［Ｃ２３］
モデムの前記最初の組およびモデムの前記割り当てられた第２の組の両方に含まれるモデムと前記ＲＲＣ接続状態を維持するための手段をさらに備える、
Ｃ２２に記載の装置。
［Ｃ２４］
モデムがモデムの前記割り当てられた第２の組に含まれ、モデムの前記最初の組に含まれていないときにＲＲＣアイドル状態から前記ＲＲＣ接続状態に入るように前記モデムにページングするための手段をさらに備える、
Ｃ２２に記載の装置。
［Ｃ２５］
モデムがモデムの前記最初の組に含まれ、モデムの前記割り当てられた第２の組に含まれていないときに前記ＲＲＣ接続状態からアイドル状態に入るために前記モデムとのＲＲＣ接続を解除するための手段をさらに備える、
Ｃ２２に記載の装置。
［Ｃ２６］
前記モデムが特定の期間の間前記ＲＲＣアイドル状態から前記ＲＲＣ接続状態に移行するのを試行するのを防止するために前記モデムにおいてタイマを構成するための手段をさらに備える、
Ｃ２５に記載の装置。
［Ｃ２７］
モデムの前記第２の組内の各モデムに関連して使用するために副帯域、ビーム、またはリソースインターレースのうちの少なくとも１つを示す情報を受信するための手段をさらに備える、
Ｃ２２に記載の装置。
［Ｃ２８］
前記副帯域、前記ビーム、または前記リソースインターレースのうちの前記少なくとも１つを示す前記情報に基づいてモデムの前記第２の組内の各モデムと通信するための手段をさらに備える、
Ｃ２７に記載の装置。
［Ｃ２９］
接続管理エンティティ装置であって、
メモリと、
前記メモリに結合され、
特定のエリアのカバレッジ内のモデムの組を決定するよう構成され、モデムの前記組内の各モデムは、特定の航空機および複数の搬送波のうちの１つの搬送波と関連付けられ、および
セルの組の各セルにモデムの前記組の部分組を割り当てるように構成され、前記割り当ては、各セルがモデムの前記割り当てられた部分組と通信するのを可能にし、各セルは、前記複数の搬送波のうちの異なる搬送波で動作する、少なくとも１つのプロセッサと、を備える、装置。
［Ｃ３０］
前記少なくとも１つのプロセッサは、
前記特定のエリアのカバレッジ内のモデムの前記組が変わったと決定し、および
前記特定のエリアのカバレッジ内のモデムの前記組が変わったと決定した時点で各セルにモデムの前記組の前記部分組を再度割り当てるようにさらに構成される、
Ｃ２９に記載の装置。
［Ｃ３１］
前記少なくとも１つのプロセッサは、
前記特定のエリアのカバレッジ内のモデムの第１の部分組を示す情報を受信し、および
前記受信された情報に基づいて前記特定のエリアのカバレッジ内のモデムの第２の部分組の前記存在を推測するようにさらに構成され、
モデムの前記決定された組は、モデムの前記第１の部分組と、モデムの前記第２の部分組と、を含む、
Ｃ２９に記載の装置。
［Ｃ３２］
前記少なくとも１つのプロセッサは、セルの前記組の１つ以上のセルにハンドオーバーされることになるモデムの第３の部分組を決定するようにさらに構成され、モデムの前記決定された組は、モデムの前記第３の部分組をさらに含む、
Ｃ３１に記載の装置。
［Ｃ３３］
モデムの前記組の前記部分組内の各モデムは、前記セルの副帯域またはビームのうちの少なくとも１つに割り当てられる、
Ｃ２９に記載の装置。
［Ｃ３４］
モデムの前記組の前記部分組内の各モデムには少なくとも１つのリソース内の複数のインターレースのうちのインターレースが割り当てられる、
Ｃ２９に記載の装置。
［Ｃ３５］
無線通信のための装置であって、前記装置はセルであり、
メモリと、
前記メモリに結合され、
前記セルのカバレッジ内のモデムの組を決定するように構成され、モデムの前記組は、複数の搬送波のうちの１つの搬送波と関連付けられ、前記セルは、前記１つの搬送波で動作し、モデムの前記組内の各モデムは、異なる航空機と関連付けられ、
モデムの前記組を示す情報を送信するように構成され、および
前記送信された情報に応答してモデムの第２の組の割り当てを受信するように構成され、前記割り当ては、前記セルがモデムの前記割り当てられた第２の組と通信するのを可能にする、少なくとも１つのプロセッサと、を備える、装置。
［Ｃ３６］
前記少なくとも１つのプロセッサは、
無線リソース制御（ＲＲＣ）接続状態にあるモデムの最初の組と通信し、
モデムの前記最初の組をモデムの前記割り当てられた第２の組と比較し、および
前記比較に基づいてモデムの前記最初の組またはモデムの前記割り当てられた第２の組のうちの少なくとも１つ内のモデムに関するＲＲＣ状態を決定するようにさらに構成される、
Ｃ３５に記載の装置。
［Ｃ３７］
前記少なくとも１つのプロセッサは、モデムの前記最初の組およびモデムの前記割り当てられた第２の組の両方に含まれるモデムと前記ＲＲＣ接続状態を維持するようにさらに構成される、
Ｃ３６に記載の装置。
［Ｃ３８］
前記少なくとも１つのプロセッサは、モデムがモデムの前記割り当てられた第２の組に含まれ、モデムの前記最初の組に含まれていないときにＲＲＣアイドル状態から前記ＲＲＣ接続状態に入るように前記モデムにページングするようにさらに構成される、
Ｃ３６に記載の装置。
［Ｃ３９］
前記少なくとも１つのプロセッサは、モデムがモデムの前記最初の組に含まれ、モデムの前記割り当てられた第２の組に含まれていないときに前記ＲＲＣ接続状態からＲＲＣアイドル状態に入るために前記モデムとのＲＲＣ接続を解除するようにさらに構成される、
Ｃ３６に記載の装置。
［Ｃ４０］
前記少なくとも１つのプロセッサは、前記モデムが特定の期間の間前記ＲＲＣアイドル状態から前記ＲＲＣ接続状態に移行するのを試行するのを防止するために前記モデムにおいてタイマを構成するようにさらに構成される、
Ｃ３９に記載の装置。
［Ｃ４１］
前記少なくとも１つのプロセッサは、モデムの前記第２の組内の各モデムに関連して使用するために副帯域、ビーム、またはリソースインターレースのうちの少なくとも１つを示す情報を受信するようにさらに構成される、
Ｃ３５に記載の装置。
［Ｃ４２］
前記少なくとも１つのプロセッサは、前記副帯域、前記ビーム、または前記リソースインターレースのうちの前記少なくとも１つを示す前記情報に基づいてモデムの前記第２の組内の各モデムと通信するようにさらに構成される、
Ｃ４１に記載の装置。
［Ｃ４３］
コンピュータ読み取り可能媒体に格納されたコンピュータプログラム製品であって、少なくとも１つのプロセッサで実行されたときに、
特定のエリアのカバレッジ内のモデムの組を決定するステップであって、モデムの前記組内の各モデムは、特定の航空機および複数の搬送波のうちの１つの搬送波と関連付けられるステップ、および
セルの組の各セルにモデムの前記組の部分組を割り当てるステップであって、前記割り当ては、各セルがモデムの前記割り当てられた部分組と通信するのを可能にし、各セルは、前記複数の搬送波のうちの異なる搬送波で動作するステップ、を実行するコードを備える、コンピュータプログラム製品。
［Ｃ４４］
コンピュータ読み取り可能媒体に格納されたコンピュータプログラム製品であって、少なくとも１つのプロセッサで実行されたときに、
前記セルのカバレッジ内のモデムの組を決定するステップであって、モデムの前記組は、複数の搬送波のうちの１つの搬送波と関連付けられ、前記セルは、前記１つの搬送波で動作し、モデムの前記組内の各モデムは、異なる航空機と関連付けられるステップ、
モデムの前記組を示す情報を送信するステップ、および
前記送信された情報に応答してモデムの第２の組の割り当てを受信するステップであって、前記割り当ては、前記セルがモデムの前記割り当てられた第２の組と通信するのを可能にするステップ、を実行するコードを備える、コンピュータプログラム製品。
【国際調査報告】
2017505567.tif 000024
2017505567.tif 000025
2017505567.tif 000026
2017505567.tif 000027
2017505567.tif 000028